(57)【要約】【課題】コンテンツに係る情報の訴求効果を向上させること。【解決手段】本願に係る情報表示プログラムは、撮像部を有する端末装置の画面に第１のコンテンツを表示する表示手順と、前記第１のコンテンツ内の所定の領域に、前記撮像部で撮影した第１の画像を、前記第１の画像上に第２のコンテンツが重畳した状態で表示する表示制御手順と、をコンピュータに実行させる。【選択図】図１
2019144664.tif 000002
【特許請求の範囲】
【請求項１】
撮像部を有する端末装置の画面に第１のコンテンツを表示する表示手順と、
前記第１のコンテンツ内の所定の領域に、前記撮像部で撮影した第１の画像を、前記第１の画像上に第２のコンテンツが重畳した状態で表示する表示制御手順と、
をコンピュータに実行させるための情報表示プログラム。
【請求項２】
前記第１の画像は、前記撮像部が現在撮影しているリアルタイムの動画像であり、
前記表示制御手順は、前記動画像を、前記動画像上に前記第２のコンテンツが重畳した状態で表示する、
処理であることを特徴とする請求項１に記載の情報表示プログラム。
【請求項３】
前記表示制御手順は、ユーザの操作に応じて、前記撮像部を起動するための処理を開始し、前記撮像部が起動した後、前記撮像部で撮影した前記第１の画像を前記第２のコンテンツが重畳した状態で表示する、
処理であることを特徴とする請求項１又は２に記載の情報表示プログラム。
【請求項４】
前記表示制御手順は、所定のタイミングで、前記撮像部の起動の許可をユーザに求めるための出力を実行し、前記撮像部の起動を許可する旨のユーザの操作があった場合に前記撮像部を起動する、
処理であることを特徴とする請求項１〜３のいずれか１項に記載の情報表示プログラム。
【請求項５】
前記表示制御手順は、前記第１のコンテンツのスクロールにより前記所定の領域が前記画面上の所定の表示領域に位置したタイミングで、前記撮像部の起動の許可をユーザに求めるための出力を実行し、前記撮像部の起動を許可する旨のユーザの操作があった場合に前記撮像部を起動する、
処理であることを特徴とする請求項１〜４のいずれか１項に記載の情報表示プログラム。
【請求項６】
前記表示制御手順は、他のコンテンツからの遷移により前記第１のコンテンツが前記画面に表示されたタイミングで、前記撮像部の起動の許可をユーザに求めるための出力を実行し、前記撮像部の起動を許可する旨のユーザの操作があった場合に前記撮像部を起動する、
処理であることを特徴とする請求項１〜５のいずれか１項に記載の情報表示プログラム。
【請求項７】
前記表示制御手順は、前記所定の領域に表示された前記第２のコンテンツに対してユーザが所定の操作を行った場合に、前記撮像部の起動の許可をユーザに求めるための出力を実行し、前記撮像部の起動を許可する旨のユーザの操作があった場合に前記撮像部を起動する、
処理であることを特徴とする請求項１〜６のいずれか１項に記載の情報表示プログラム。
【請求項８】
前記第１のコンテンツに配置された第１の操作手段へのユーザの操作に応じて、前記所定の領域に表示されている前記第１の画像であって前記第２のコンテンツが重畳した状態の前記第１の画像を記憶手段に保存する記録制御手順、
をさらにコンピュータに実行させる請求項１〜７のいずれか１項に記載の情報表示プログラム。
【請求項９】
前記記録制御手順は、前記第１の操作手段への前記ユーザの操作に応じて、前記所定の領域に表示されている前記第１の画像であって前記第２のコンテンツが重畳した状態の前記第１の画像を静止画として保存する、
処理であることを特徴とする請求項８に記載の情報表示プログラム。
【請求項１０】
前記第１の画像は、前記撮像部が現在撮影しているリアルタイムの動画像であり、
前記記録制御手順は、前記第１の操作手段への前記ユーザの操作に応じて、前記所定の領域に表示されている前記動画像であって前記第２のコンテンツが重畳した状態の前記動画像を動画として保存する、
処理であることを特徴とする請求項８に記載の情報表示プログラム。
【請求項１１】
前記第１のコンテンツに配置された第２の操作手段へのユーザの操作に応じて、前記所定の領域に表示されている前記第１の画像であって前記第２のコンテンツが重畳した状態の前記第１の画像を、ネットワークを使った所定の情報サービスに投稿する投稿制御手順、
をさらにコンピュータに実行させる請求項１〜１０のいずれか１項に記載の情報表示プログラム。
【請求項１２】
前記投稿制御手順は、前記第２のコンテンツを特定するタグ情報を付与した前記第１の画像を投稿する、
処理であることを特徴とする請求項１１に記載の情報表示プログラム。
【請求項１３】
前記タグ情報は、前記第２のコンテンツの広告情報である、
ことを特徴とする請求項１２に記載の情報表示プログラム。
【請求項１４】
前記表示制御手順は、前記第２のコンテンツとして第１のオブジェクトを含むコンテンツを表示する、
処理であることを特徴とする請求項１〜１３のいずれか１項に記載の情報表示プログラム。
【請求項１５】
前記表示制御手順は、前記第１の画像に映る第２のオブジェクトの大きさに基づいて前記所定の領域に表示する前記第１のオブジェクトの大きさを判別する、
処理であることを特徴とする請求項１４に記載の情報表示プログラム。
【請求項１６】
前記表示制御手順は、前記第２のコンテンツとしてコンテンツ内に所定の形状の透過領域を有する第２の画像を表示する、
処理であることを特徴とする請求項１〜１３のいずれか１項に記載の情報表示プログラム。
【請求項１７】
前記表示制御手順は、ネットワークを通じて得た撮影画像に基づき作成された前記第２の画像を前記第２のコンテンツとして表示する、
処理であることを特徴とする請求項１６に記載の情報表示プログラム。
【請求項１８】
前記表示制御手順は、リアルタイムの映像に基づき作成された前記第２の画像を前記第２のコンテンツとして表示する、
処理であることを特徴とする請求項１６又は１７に記載の情報表示プログラム。
【請求項１９】
前記撮像部は少なくともインカメラを有し、
前記表示制御手順は、前記インカメラで撮影した前記第１の画像を、前記第１の画像上に前記第２のコンテンツが重畳した状態で表示する、
処理であることを特徴とする請求項１６〜１８のいずれか１項に記載の情報表示プログラム。
【請求項２０】
前記表示制御手順は、ユーザの操作に応じて、前記第１のコンテンツを拡大或いは縮小することなく、前記所定の領域内の前記第１の画像及び前記第２のコンテンツの一方を拡大或いは縮小する、
処理であることを特徴とする請求項１〜１９のいずれか１項に記載の情報表示プログラム。
【請求項２１】
前記表示制御手順は、前記第２のコンテンツとしてユーザの操作により回転する立体オブジェクトを含むコンテンツを表示する、
処理であることを特徴とする請求項１〜２０のいずれか１項に記載の情報表示プログラム。
【請求項２２】
情報表示装置が実行する情報表示方法であって、
撮像部を有する端末装置の画面に第１のコンテンツを表示する表示工程と、
前記第１のコンテンツ内の所定の領域に、前記撮像部で撮影した第１の画像を、前記第１の画像上に第２のコンテンツが重畳した状態で表示する表示制御工程と、
を含むことを特徴とする情報表示方法。
【請求項２３】
撮像部と、
画面に第１のコンテンツを表示する表示部と、
前記第１のコンテンツ内の所定の領域に、前記撮像部で撮影した第１の画像を、前記第１の画像上に第２のコンテンツが重畳した状態で表示する表示制御部と、
を備えることを特徴とする情報表示装置。
【請求項２４】
撮像部を有する端末装置に制御情報を配信する配信部を備え、
前記配信部は、前記端末装置に前記制御情報を配信することで、
前記端末装置の画面に第１のコンテンツを表示する表示処理と、
前記第１のコンテンツ内の所定の領域に、前記撮像部で撮影した第１の画像を、前記第１の画像上に第２のコンテンツが重畳した状態で表示する表示制御処理と、
を実行させるよう前記端末装置を制御する、
ことを特徴とする配信装置。
【発明の詳細な説明】
【技術分野】
【０００１】
本発明は、情報表示プログラム、情報表示方法、情報表示装置、及び配信装置に関する。
【０００２】
近年、インターネットの飛躍的な普及に伴い、インターネットを介した情報配信が盛んに行われている。例えば、所定の表示領域がウェブページ内に配置されている場合は、表示領域内に配置して表示するコンテンツとして、表示サイズが表示領域と同じコンテンツを取得し、取得したコンテンツを表示領域内に配置して表示する技術が知られている。また、所定の表示領域内に所定のコンテンツを配置し、表示領域が可視領域に入るタイミングを検出すると、コンテンツの表示態様を変化させる技術が知られている。
【先行技術文献】
【特許文献】
【０００３】
【特許文献１】特開２０１１−１２８２０４号公報
【発明の概要】
【発明が解決しようとする課題】
【０００４】
しかしながら、上記の従来技術では、コンテンツに係る情報の訴求効果が必ずしも高いとは言えない場合がある。例えば、上記の従来技術では、表示領域と同じ表示サイズのコンテンツを可視領域内に表示しているに過ぎず、利用者の興味を生じさせることができない場合がある。
【０００５】
本願は、上記に鑑みてなされたものであって、コンテンツに係る情報の訴求効果を向上させる情報表示プログラム、情報表示方法、情報表示装置および配信装置を提供することを目的とする。
【課題を解決するための手段】
【０００６】
本願に係る情報表示プログラムは、撮像部を有する端末装置の画面に第１のコンテンツを表示する表示手順と、前記第１のコンテンツ内の所定の領域に、前記撮像部で撮影した第１の画像を、前記第１の画像上に第２のコンテンツが重畳した状態で表示する表示制御手順と、をコンピュータに実行させる。
【発明の効果】
【０００７】
実施形態の一態様によれば、コンテンツに係る情報の訴求効果を向上させることができる。
【図面の簡単な説明】
【０００８】
【図１】図１は、実施形態に係る端末装置を示す図ある。
【図２】図２は、実施形態１に係る端末装置にコンテンツが表示された様子を示す図である。
【図３】図３は、実施形態１に係る端末装置の動作の一例を示す図である。
【図４】図４は、実施形態２に係る端末装置にコンテンツが表示された様子を示す図である。
【図５】図５は、実施形態３に係る端末装置にコンテンツが表示された様子を示す図である。
【図６】図６は、実施形態に係る広告配信システムの構成例を示す図である。
【図７】図７は、実施形態に係る広告配信サーバの構成例を示す図である。
【図８】図８は、実施形態に係る広告データベースに格納された情報の一例を示す図である。
【図９】図９は、実施形態に係るコンテンツ配信サーバの構成例を示す図である。
【図１０】図１０は、実施形態に係る端末装置の構成例を示す図である。
【図１１】図１１は、情報表示処理の一例を示すフローチャートである。
【図１２】図１２は、変形例に係る端末装置にコンテンツが表示された様子を示す図である。
【図１３】図１３は、変形例に係る端末装置にコンテンツが表示された様子を示す図である。
【図１４】図１４は、広告配信サーバ、コンテンツ配信サーバ、或いは端末装置の機能を実現するコンピュータの一例を示すハードウェア構成図である。
【発明を実施するための形態】
【０００９】
以下に、本願にかかる情報表示プログラム、情報表示方法、情報表示装置、及び配信装置を実施するための形態（以下、「実施形態」と記載する。）について図面を参照しつつ詳細に説明する。なお、この実施形態により本願にかかる情報表示プログラム、情報表示方法、情報表示装置、及び配信装置が限定されるものではない。また、以下の各実施形態において同一の部位には同一の符号を付し、重複する説明は省略される。
【００１０】
〔１．情報表示処理〕
最初に、本実施形態の情報表示プログラム等により実現される情報表示処理を説明する。以下の説明では、本実施形態の情報表示装置の一例である端末装置１００の動作を例に、情報表示処理を説明する。
【００１１】
図１は、実施形態に係る端末装置を示す図である。端末装置１００は、例えば、スマートデバイス（スマートフォン、或いはタブレット）、携帯電話、パーソナルコンピュータ等のユーザ端末である。図１の例では、端末装置１００は、スマートデバイスとなっているが、端末装置１００はスマートデバイスに限定されない。端末装置１００は、ネットワーク接続機能を備え、ネットワークを介して任意のサーバ装置と通信する。
【００１２】
端末装置１００は一方の面にディスプレイ１４１（以下、画面ともいう。）を備える。端末装置１００の画面は、タッチパネル式の画面となっている。また、端末装置１００は、ユーザのタッチパネル操作に応じて画面にコンテンツを表示する。なお、図１の例では、端末装置１００は縦置きとなっているが、横置きであってもよい。この場合、端末装置１００は、図１の例とは異なり、画面の長辺が上或いは下となるようコンテンツＣ１を表示する。
【００１３】
また、端末装置１００は、撮像部１５０を備える。撮像部１５０は、例えば、動画或いは静止画が撮像可能なカメラである。撮像部１５０は、アウトカメラ１５１とインカメラ１５２とで構成されている。アウトカメラ１５１は、端末装置１００の背面側に配置されたメインカメラであり、インカメラ１５２は端末装置１００の正面側に配置されたサブカメラである。
【００１４】
図１の例では、コンテンツＣ１はコンテンツ表示領域Ａ１に表示されている。コンテンツ表示領域Ａ１は、端末装置１００の画面中のスクロール可能な領域である。コンテンツＣ１は表示領域Ａ３を有している。表示領域Ａ３は、広告コンテンツを表示するための広告領域である。撮像部１５０で撮像された撮像画像（第１の画像）は表示領域Ａ３に表示される。
【００１５】
なお、以下の説明で登場する「撮像」のワードは「撮影」に置き換えることができる。また、以下の説明で登場する「撮像画像」のワードは「撮影画像」に置き換えることができる。また、以下の説明で登場する撮像画像（第１の画像）は、単に端末装置１００が撮影した画像に限られない。例えば、端末装置１００が撮像部で撮影した画像の一部或いは全部に加工を施した画像も含まれる。例えば、撮像部で撮影した画像に、端末装置１００が、撮影された人の肌を美肌にする加工を施した画像、目を大きくする加工を施した画像、一部を誇張する加工を施した画像も撮像画像（第１の画像）である。勿論、端末装置１００が施す加工は上記の例に限られない。
【００１６】
〔１−１．実施形態１〕
以下、実施形態１に係る端末装置１００の動作について説明する。図２は、実施形態１に係る端末装置１００にコンテンツが表示された様子を示す図である。図２の例では、端末装置１００が備える表示面（以下、画面ともいう。）に、複数のコンテンツが配置されたコンテンツＣ１（第１のコンテンツ）が表示されている。コンテンツＣ１は、画像（例えば、静止画、動画）、テキスト情報（例えば、ニュース記事）等のコンテンツが配置された配置面の情報である。例えば、コンテンツＣ１は、端末装置１００にインストールされたアプリケーション（以下、アプリという。）に表示する画面の情報である。コンテンツＣ１には、複数のコンテンツがタイル状に配置されている。なお、コンテンツＣ１は、端末装置１００が備える記憶装置に予めインストールされたデータ（例えば、地図データ等のコンテンツデータ）に基づき生成されてもよい。また、コンテンツＣ１は、ページの情報（例えば、ウェブページの情報）であってもよい。以下の説明では、アプリやページが発信目的とするコンテンツのことを、広告コンテンツとは区別し、メインコンテンツという。本実施形態の場合、コンテンツＣ１はメインコンテンツ（第１のコンテンツ）である。
【００１７】
また、以下の説明には、Ｘ軸、Ｙ軸、及びＺ軸から構成される直交座標系を用いる。図中、矢印の指し示す方向がプラス方向である。本実施形態の場合、Ｘ軸、Ｙ軸は端末装置１００の画面と水平な方向に軸方向を有している。具体的には、Ｘ軸は、画面横方向に軸方向を有しており、Ｙ軸は画面縦方向に軸方向を有している。また、Ｚ軸は端末装置１００の画面と平行な面に対して垂直な方向に軸方向を有している。
【００１８】
コンテンツＣ１は、例えば、スマートデバイス用に最適化されたメインコンテンツ（例えば、アプリの画面）である。コンテンツＣ１は、例えば、ニュース、天気予報、受信メールのインデックスや内容、フォトビュワー、その他各種のコンテンツが配置されている。なお、コンテンツＣ１は、アプリの画面に限られない。例えば、コンテンツＣ１は、スマートデバイス用に最適化されたウェブページであってもよい。この場合、コンテンツＣ１は、ＨＴＭＬ（Hyper  Text  Markup  Language）、ＸＭＬ（Extensible  Markup  Language）等で記述されてもよい。
【００１９】
上述したように、コンテンツＣ１は、広告コンテンツが表示される表示領域Ａ３を有している。図２の例では、表示領域Ａ３には、コンテンツＣ２１が表示される。コンテンツＣ２１は、透過領域となった背景の中央に時計のオブジェクトが配置された広告コンテンツ（第２のコンテンツ）である。表示領域Ａ３はコンテンツＣ１のスクロール方向の中央上部に位置している。
【００２０】
本実施形態では、コンテンツＣ１の横方向のサイズは、端末装置１００が有する画面の横方向（Ｘ軸方向）の長さと同じサイズである。また、コンテンツＣ１は、縦方向（Ｙ軸方向）のサイズが、端末装置１００のコンテンツ表示領域Ａ１の縦方向のサイズより大きい。コンテンツＣ１はコンテンツ表示領域Ａ１に対してスクロール可能である。コンテンツ表示領域Ａ１は、端末装置１００の画面中のスクロール可能な領域である。また、コンテンツ表示領域Ａ１は、スクロール可能なコンテンツの可視領域である。「コンテンツ表示領域」は、「スクロール可能領域」或いは「可視領域」と言い換えることができる。以下の説明では、コンテンツＣ１はＹ軸プラス方向或いはＹ軸マイナス方向にスクロールするものとする。また、以下の説明では、コンテンツＣ１がスクロールする方向（すなわち、Ｙ軸方向）のことを単にスクロール方向と呼ぶことがある。
【００２１】
ユーザが端末装置１００を操作してメインコンテンツを配信するサーバ（以下、コンテンツ配信サーバという。）にアクセスすると、端末装置１００は、コンテンツ配信サーバからコンテンツＣ１の配信を受ける。そして、端末装置１００は、コンテンツＣ１を画面に表示する。また、端末装置１００は、コンテンツＣ１の配信を受けると、コンテンツＣ１の情報とともに送信された制御情報に従って広告コンテンツを配信するサーバ（以下、広告配信サーバという。）に広告コンテンツの配信要求を送信する。そして、端末装置１００は、広告配信サーバから広告コンテンツの配信を受ける。端末装置１００は、制御情報に従って画面に広告コンテンツ（例えば、図２に示すコンテンツＣ２１）を表示する。
【００２２】
上述したようにコンテンツＣ２１は、透過領域となった背景の中央に時計のオブジェクトが配置された広告コンテンツである。図２の例では、コンテンツＣ２１の中央にある時計が広告対象の商品である。コンテンツＣ２１の横方向の長さは、端末装置１００が有する画面の横方向の長さと同じである。また、本実施形態では、コンテンツＣ２１は、縦方向の長さが、端末装置１００のコンテンツ表示領域Ａ１の縦方向の長さより短い。図２の例では、コンテンツＣ２１は、表示領域Ａ３に固定されている。本実施形態では、コンテンツＣ２１は、表示領域Ａ３と同じ大きさである。
【００２３】
なお、コンテンツＣ２１の背面側にある撮像画像Ｐ１１は、撮像部１５０（図２の例ではアウトカメラ１５１）で撮像された画像である。撮像画像Ｐ１１には、撮影対象のオブジェクトＴ２１（第２のオブジェクト）が撮像されている。図２の例では、オブジェクトＴ２１はアウトカメラ１５１で撮像されたユーザの腕である。本実施形態では、撮像画像Ｐ１１も、コンテンツＣ２１と同じく、表示領域Ａ３と同じ大きさである。
【００２４】
コンテンツＣ１には、表示領域Ａ３に表示された画像を保存するための保存ボタンＢ１１（第１の操作手段）が配置されている。また、コンテンツＣ１には、表示領域Ａ３に表示された画像を所定の情報サービスに投稿するための投稿ボタンＢ１２（第２の操作手段）が配置されている。情報サービスは、ユーザ等が投稿した情報を、ネットワークを使用して発信するサービスである。例えば、情報サービスは、ＳＮＳ（Social  Networking  Service）、ブログサービス、掲示板サービス、インターネット百科事典サービス等のサービスである。端末装置１００は、保存ボタンＢ１１及び投稿ボタンＢ１２が押されると、制御情報に従って所定の処理を実行する。保存ボタンＢ１１及び投稿ボタンＢ１２が押された場合の動作は後述する。
【００２５】
なお、制御情報は、端末装置１００にインストールされたアプリを制御するプログラムであってもよいし、ページに埋め込まれたプログラムであってもよい。例えば、制御情報は、ＪａｖａＳｃｒｉｐｔ（登録商標）等のスクリプト言語で記載されたプログラムであってもよい。勿論、制御情報は、スクリプト言語以外のコンピュータ言語で記載された情報であってもよい。例えば、制御情報は、ＣＳＳ３（Cascading  Style  Sheets  3）等のスタイルシート言語で記載された情報であってもよい。また、制御情報は、Ｊａｖａ（登録商標）、Ｓｗｉｆｔ、Ｃ言語、Ｃ＋＋等のプログラミング言語で記載され、コンパイル等されたプログラムであってもよい。コンテンツ配信サーバ等のサーバから配信されるアプリケーションソフトそのものを制御情報とみなすことも可能である。このとき、ページの情報は、制御情報に含まれていてもよい。なお、最終的に端末装置１００がプログラムを実行できるのであれば、制御情報は、コンパイルされたプログラムでなくてもよい。その他、制御情報は、インタプリタ言語（例えば、スクリプト言語）、機械言語、或いは中間言語の形式で提供されるデータ（プログラム）であってもよい。
【００２６】
次に、端末装置１００の動作を説明する。図３は、実施形態１に係る端末装置１００の動作の一例を示す図である。以下、図面を参照しながら、端末装置１００が実行する情報表示処理を説明する。情報表示処理は、例えば、コンテンツ配信サーバ等の配信サーバが配信する制御情報に従って行われる。コンテンツ配信サーバは、コンテンツＣ１等のメインコンテンツを配信するサーバである。以下の説明では、端末装置１００は、コンテンツ配信サーバが配信する制御情報に従って情報表示処理を実行するものとするが、広告配信サーバが配信する制御情報に従って情報表示処理を実行してもよい。広告配信サーバは、コンテンツＣ２１等の広告情報を配信するサーバである。
【００２７】
端末装置１００は、コンテンツ配信サーバからコンテンツＣ１等のデータを受信するともに、広告配信サーバからコンテンツＣ２１のデータを取得する。コンテンツＣ２１は、広告対象となるオブジェクトＴ１１（第１のオブジェクト）が表示された画像である。本実施形態では、オブジェクトＴ１１（第１のオブジェクト）は画像の中央に配置されており、画像中のオブジェクトＴ１１以外の部分は、透過領域（すなわち、透明）となっている。これにより、コンテンツＣ２１の背面に撮像画像Ｐ１１が表示されたときには、ユーザはコンテンツＣ２１の透過領域を通じて撮像画像Ｐ１１を視認できる。
【００２８】
なお、本実施形態では、コンテンツＣ２１は、選択可能なコンテンツとなっている。例えば、コンテンツＣ２、Ｃ３には所定のページ（例えば、ランディングページ）へのリンクが設定されている。そして、端末装置１００は、コンテンツＣ２１が選択操作（例えば、タップやクリック）されると、コンテンツＣ２１にリンクされたページやコンテンツを表示する。
【００２９】
端末装置１００は、各サーバからコンテンツのデータを取得すると、コンテンツＣ１を画面に表示する（状態Ｄ１１）。そして、端末装置１００は、ユーザの操作に応じてコンテンツＣ１を移動させる。例えば、端末装置１００は、スクロール操作（例えば、フリックやスワイプ等）に応じてコンテンツＣ１をスクロールさせる。このとき、端末装置１００は、コンテンツＣ１の表示領域Ａ３に配置されているコンテンツＣ２１もコンテンツＣ１の移動に合わせて移動させる（状態Ｄ１２）。
【００３０】
端末装置１００は、所定のタイミングで、撮像部１５０の起動の許可をユーザに求めるための出力を実行する（状態Ｄ１３）。例えば、端末装置１００は、コンテンツＣ１のスクロールにより、コンテンツＣ２１の表示領域である表示領域Ａ３が画面上の所定の表示領域に位置したタイミングで、撮像部１５０の起動の許可をユーザに求めるための出力を実行する。例えば、端末装置１００は、表示領域Ａ３の一部或いは全部が画面上の中央領域Ａ２に位置したタイミングで、カメラの起動の許可を求める表示Ｍ１（例えば、メッセージボックス）を画面に出力する。なお、図３の状態Ｄ１３の例では表示Ｍ１には「カメラを起動します」のメッセージが付されているが、表示Ｍ１に付されるメッセージは状態Ｄ１３の例に限られない。例えば、「時計の背後にカメラで撮影した画像が表示されます」等、ユーザの興味を刺激するメッセージであってもよい。
【００３１】
なお、表示Ｍ１を出力するタイミングは表示領域Ａ３の一部或いは全部が画面上の中央領域Ａ２に位置したタイミングに限られない。例えば、端末装置１００は、表示領域Ａ３の一部或いは全部が画面に表示されたタイミング（インビューしたタイミング）で表示Ｍ１を画面に出力してもよい。すなわち、端末装置１００は、表示領域Ａ３の一部或いは全部が画面上のコンテンツ表示領域Ａ１に位置したタイミングで表示Ｍ１を画面に出力してもよい。或いは、端末装置１００は、他のコンテンツからの遷移によりコンテンツＣ１が画面に表示されたタイミングで表示Ｍ１を画面に表示してもよい。
【００３２】
また、端末装置１００は、表示領域Ａ３に表示されたコンテンツＣ２１に対してユーザが所定の操作を行った場合に、表示Ｍ１を画面に出力してもよい。例えば、端末装置１００は、コンテンツＣ２１内のオブジェクトＴ１１をユーザがタップした場合に、表示Ｍ１を画面に出力してもよい。
【００３３】
そして、端末装置１００は、ユーザの操作に応じて、撮像部１５０を起動するための処理を開始する。例えば、表示Ｍ１には、ユーザが撮像部１５０の起動を許可する場合に押されるボタンＢ２１と、ユーザが撮像部１５０の起動を許可しない場合に押されるボタンＢ２２と、が配置されている。表示Ｍ１の出力後、ボタンＢ２２がタップされたら、端末装置１００は、撮像部１５０を起動することなく、表示Ｍ１を閉じる。撮像画像が表示されなくても、表示領域Ａ３へのオブジェクトＴ１１の表示は維持されるので、コンテンツＣ２１の宣伝効果は失われない。一方、ボタンＢ２１がタップされたら、端末装置１００は、撮像部１５０を起動するとともに、撮像部１５０で撮像された画像を、表示領域Ａ３に表示する。より具体的には、端末装置１００は、撮像部１５０で撮像した撮像画像Ｐ１１を、撮像画像上にコンテンツＣ２１が重畳した状態で表示する（状態Ｄ１４）。
【００３４】
なお、撮像画像Ｐ１１は、静止画像であってもよいし、動画像であってもよい。例えば、撮像画像Ｐ１１は、ユーザが表示Ｍ１のボタンＢ２１をタップした瞬間に撮像部１５０で撮像された静止画であってもよい。或いは、撮像画像は、撮像部１５０が現在撮像しているリアルタイムの動画像であってもよい。図３の状態Ｄ１４の例では、端末装置１００は、撮像画像Ｐ１１として、アウトカメラ１５１が現在撮像しているリアルタイムの動画像を表示している。
【００３５】
端末装置１００は、ユーザの操作に応じて、コンテンツＣ１を拡大或いは縮小することなく、表示領域Ａ３内の撮像画像Ｐ１１及びコンテンツＣ２１の一方を拡大或いは縮小する。例えば、ユーザがコンテンツＣ２１表示されているオブジェクトＴ１１に対してピンチアウトを実行したとする。この場合、端末装置１００は、コンテンツＣ１を拡大することなくコンテンツＣ２１を拡大する（状態Ｄ１５）。また、ユーザがコンテンツＣ２１表示されているオブジェクトＴ１１に対してピンチインを実行したとする。この場合、端末装置１００は、コンテンツＣ１を拡大することなくコンテンツＣ２１を縮小する（状態Ｄ１６）。なお、端末装置１００は、ユーザの操作に応じて、撮像画像Ｐ１１の方を拡大或いは縮小するよう構成されていてもよい。ユーザはコンテンツＣ２１或いは撮像画像Ｐ１１を拡大縮小することにより、オブジェクトＴ１１をオブジェクトＴ２１に対して最適な大きさとする。
【００３６】
なお、端末装置１００は、オブジェクトＴ１１とオブジェクトＴ２１の大きさを自動的に調整してもよい。例えば、コンテンツＣ１内に自動調整ボタンを設ける。そして、端末装置１００は、ユーザが自動調整ボタンを押した場合に、撮像画像Ｐ１１に映るオブジェクトＴ２１の大きさに基づいて表示領域Ａ３に表示するオブジェクトＴ１１の大きさを判別する。そして、端末装置１００は、オブジェクトＴ１１が判別した大きさとなるようコンテンツＣ２１を拡大或いは縮小する。
【００３７】
上述したように、コンテンツＣ１には保存ボタンＢ１１（第１の操作手段）が配置されている。端末装置１００は、保存ボタンＢ１１が押されると、コンテンツＣ２が重畳した状態の撮像画像Ｐ１１を端末装置１００の記憶部に保存する。なお、端末装置１００は、コンテンツＣ２１が重畳した状態の撮像画像Ｐ１１を静止画として記憶部に保存してもよい。撮像画像Ｐ１１が、撮像部１５０が現在撮像しているリアルタイムの動画像なのであれば、端末装置１００は、コンテンツＣ２１が重畳した状態の撮像画像Ｐ１１を動画として記憶部に保存してもよい。
【００３８】
なお、端末装置１００は、記憶部に保存する撮像画像にタグ情報を付してもよい。タグ情報は、例えば、ＥＸＩＦ（Exchangeable  image  file  format）タグである。勿論、タグ情報はＥＸＩＦタグに限定されず、他のフォーマットのタグ情報であってもよい。端末装置１００は、撮像画像に付すタグ情報に、第２のコンテンツを特定する情報を含ませてもよい。例えば、タグ情報には、第２のコンテンツを特定する情報として、第２のコンテンツの広告情報が含まれていてもよい。広告情報は、例えば、第２のコンテンツが広告対象とする商品の商品名、第２のコンテンツが広告対象とするサービスのサービス名、第２のコンテンツが広告対象とする商品或いはサービスの提供主体名（例えば、提供企業名）である。
【００３９】
また、コンテンツＣ１には投稿ボタンＢ１２（第２の操作手段）が配置されている。端末装置１００は、保存ボタンＢ１１が押されると（状態Ｄ１７）、コンテンツＣ２が重畳した状態の撮像画像Ｐ１１である撮像画像Ｐ２１を所定の情報サービスに投稿する（状態Ｄ１８）。所定の情報サービスは、ＳＮＳであってもよいし、ブログサービスであてもよいし、掲示板サービスであってもよい。図３の状態Ｄ１８の例では、掲示板サイトのページであるコンテンツＣ３に、撮像画像Ｐ２１を含むコンテンツＣ３１が投稿されている。
【００４０】
なお、端末装置１００は、投稿する撮像画像にタグ情報を付してもよい。タグ情報は、例えば、ＥＸＩＦタグである。勿論、タグ情報はＥＸＩＦタグに限定されず、他のフォーマットのタグ情報であってもよい。端末装置１００は、撮像画像に付すタグ情報に、第２のコンテンツを特定する情報を含ませてもよい。例えば、タグ情報には、第２のコンテンツを特定する情報として、第２のコンテンツの広告情報が含まれていてもよい。広告情報は、例えば、第２のコンテンツが広告対象とする商品の商品名、第２のコンテンツが広告対象とするサービスのサービス名、第２のコンテンツが広告対象とする商品或いはサービスの提供主体名（例えば、提供企業名）である。
【００４１】
本実施形態によれば、端末装置１００は、撮像部１５０で撮像した撮像画像Ｐ１１にコンテンツＣ２１を重畳させて表示する。このため、ユーザの好奇心が刺激されるので、端末装置１００は、コンテンツＣ２１に係る情報の訴求効果を向上させることができる。
【００４２】
〔１−２．実施形態２〕
実施形態１では、第２のコンテンツ（コンテンツＣ２１）は透過領域の中央にオブジェクトを配置した画像であった。しかし、第２のコンテンツは画像の中央に透過領域がある画であってもよい。以下、実施形態２の情報表示処理を説明する。
【００４３】
図４は、実施形態２に係る端末装置１００にコンテンツが表示された様子を示す図である。図４の例では、端末装置１００の画面に、表示領域Ａ３を有するコンテンツＣ１（第１のコンテンツ）が表示されている。図４の例では、表示領域Ａ３には、コンテンツＣ２２が表示される。コンテンツＣ２２は、広告コンテンツ（第２のコンテンツ）であり、コンテンツ内に所定の形状（例えば、円形、楕円形、四角形、三角形等）の透過領域を有する画像（第２の画像）である。図４の例では、コンテンツＣ２２は、富士山を背景に、お殿様が立っている画像となっている。お殿様の顔部分は、あたかも顔ハメ看板のように、円形の透過領域となっている。
【００４４】
なお、図４に示した画像はあくまで一例である。第２のコンテンツとする第２の画像は図４に示した画像に限られない。また、第２のコンテンツとする第２の画像は、ネットワークを通じて得た撮影画像に基づき作成された画像であってもよい。また、リアルタイムの映像に基づき作成された画像であってもよい。リアルタイムの映像はネットワークを通じて得たが画像であってもよい。また、第２の画像は静止画であってもよいし、動画であってもよい。
【００４５】
端末装置１００は、所定のタイミングで、撮像部１５０の起動の許可をユーザに求めるための出力を実行する。そして、撮像部１５０の起動が許可されると、端末装置１００は、撮像部１５０で撮像した撮像画像Ｐ１２をコンテンツＣ２２の背面に表示する。図４の例では、撮像画像Ｐ１２は、ユーザがインカメラ１５２で自身を撮像した画像となっている。撮像画像Ｐ１２中のオブジェクトＴ２２がユーザ自身である。ユーザは、画面を見ながら透過領域に自身の顔を合わせる。そして、ユーザが保存ボタンＢ１１を押すと、端末装置１００は、記憶部に、コンテンツＣ２２が重畳した状態の撮像画像Ｐ１２を保存する。また、ユーザが投稿ボタンＢ１２を押すと、端末装置１００は、所定の情報サービス（例えば、ＳＮＳ）に、コンテンツＣ２２が重畳した状態の撮像画像Ｐ１２を投稿する。
【００４６】
本実施形態によれば、端末装置１００は、撮像部１５０で撮像した撮像画像Ｐ１２にコンテンツＣ２２を重畳させて表示する。このため、ユーザの好奇心が刺激されるので、端末装置１００は、コンテンツＣ２２に係る情報の訴求効果を向上させることができる。
【００４７】
〔１−３．実施形態３〕
実施形態１では、第２のコンテンツ（コンテンツＣ２１）は透過領域の中央にオブジェクトを配置した画像であった。しかし、第２のコンテンツに配置されるオブジェクトは立体オブジェクトであってもよい。以下、実施形態３の情報表示処理を説明する。
【００４８】
図５は、実施形態３に係る端末装置１００にコンテンツが表示された様子を示す図である。図５の例では、端末装置１００の画面に、表示領域Ａ３を有するコンテンツＣ１（第１のコンテンツ）が表示されている。図５の例では、表示領域Ａ３には、コンテンツＣ２３が表示される。コンテンツＣ２３は、広告コンテンツ（第２のコンテンツ）であり、透過領域の中央に立体オブジェクトを有する画像である。図５の例では、透過領域の中央には自動車の立体オブジェクトＴ１２が表示されている。
【００４９】
ここで、立体オブジェクトとは、コンピュータの処理により画面内に実現される仮想の立体的なオブジェクト（３Ｄオブジェクト）のことである。例えば、立体オブジェクトは、コンピュータの処理により画面内に実現される仮想の３Ｄ空間（仮想の奥行ある空間）に実現される３Ｄオブジェクトのことである。例えば、立体オブジェクトは、コンテンツＣ１の記述にＣＳＳ３（Cascading  Style  Sheets  3）を使用するのであれば、perspectiveプロパティにnone以外の値を指定したり、transform-styleプロパティにpreserve-3dを指定したりすることにより実現される。勿論、立体オブジェクトは上記以外の方法で実現されてもよい。
【００５０】
端末装置１００は、所定のタイミングで、撮像部１５０の起動の許可をユーザに求めるための出力を実行する。そして、撮像部１５０の起動が許可されると、端末装置１００は、撮像部１５０で撮像した撮像画像Ｐ１３をコンテンツＣ２２の背面に表示する（状態Ｄ２１）。図５の例では、撮像画像Ｐ１３は、ユーザがアウトカメラ１５１で風景を撮像した画像となっている。ユーザが表示領域Ａ３内の立体オブジェクトＴ１２をフリック或いはスワイプすると、立体オブジェクトＴ１２は回転する（状態Ｄ２２）。ユーザが、風景に適した角度になるよう立体オブジェクトを回転させ、保存ボタンＢ１１を押すと、端末装置１００は、記憶部に、コンテンツＣ２３が重畳した状態の撮像画像Ｐ１３を保存する。また、ユーザが投稿ボタンＢ１２を押すと、端末装置１００は、所定の情報サービス（例えば、ＳＮＳ）に、コンテンツＣ２３が重畳した状態の撮像画像Ｐ１３を投稿する。
【００５１】
本実施形態によれば、端末装置１００は、撮像部１５０で撮像した撮像画像Ｐ１３にコンテンツＣ２３を重畳させて表示する。このため、ユーザの好奇心が刺激されるので、端末装置１００は、コンテンツＣ２２に係る情報の訴求効果を向上させることができる。
【００５２】
〔２．配信システムの構成例〕
以上、本実施形態の情報表示処理について述べたが、以下、本実施形態の情報表示装置の一例である端末装置１００を備える配信システム１の構成を説明する。
【００５３】
図６は、実施形態に係る配信システム１の構成例を示す図である。図６に示すように、配信システム１は、端末装置１００と、広告主端末１０と、広告配信サーバ２０と、コンテンツ配信サーバ３０とを備える。端末装置１００、広告主端末１０、広告配信サーバ２０およびコンテンツ配信サーバ３０は、ネットワークＮを介して接続される。ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。なお、図６に示す配信システム１には、端末装置１００、広告主端末１０、広告配信サーバ２０、及びコンテンツ配信サーバ３０がそれぞれ複数台含まれてもよい。
【００５４】
端末装置１００は、コンテンツを見るユーザによって利用される情報処理装置である。端末装置１００は、ユーザの操作に従って、コンテンツ配信サーバ３０からメインコンテンツの情報を取得する。メインコンテンツに広告コンテンツの取得を要求する取得命令が含まれる場合には、端末装置１００は、取得命令に従って広告配信サーバ２０から広告コンテンツを取得する。また、端末装置１００は、上述の情報表示処理を実現する制御情報を広告配信サーバ２０から受け取った場合には、制御情報に従って情報表示処理を実現する。端末装置１００の構成は後述する。
【００５５】
広告主端末１０は、広告主によって利用される情報処理装置である。例えば、広告主端末１０は、スマートデバイス（スマートフォン、或いはタブレット）、携帯電話、パーソナルコンピュータ等の端末装置である。広告主端末１０は、広告主による操作に従って、広告配信サーバ２０に広告コンテンツを入稿する。例えば、広告主端末１０は、コンテンツＣ２１、Ｃ２２、Ｃ２３等を広告コンテンツとして広告配信サーバ２０に入稿する。また、広告主端末１０が入稿する広告コンテンツは、画像（静止画、動画像）であってもよいし、テキストデータであってもよい。また、広告コンテンツは、ランディングページを取得するためのＵＲＬ（Uniform  Resource  Locator）であってもよい。なお、広告主は、広告コンテンツの入稿を代理店に依頼する場合がある。この場合、広告配信サーバ２０に広告コンテンツを入稿するのは代理店となる。以下の説明では、「広告主」は、本来の広告主だけでなく、代理店を含む概念であるものとする。また、「広告主端末」は、広告主端末１０だけでなく、代理店によって利用される代理店装置を含む概念であるものとする。
【００５６】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所やユーザの属性等からユーザと広告コンテンツとのマッチングを行い、マッチングの結果、配信対象となる広告コンテンツを端末装置１００に配信する。また、広告配信サーバ２０は、上述した情報表示処理を実現するための制御情報を広告コンテンツとともに端末装置１００に配信する。そのため、広告配信サーバ２０は、端末装置１００に制御情報を配信する配信装置として機能する。制御情報は、例えば、ＪａｖａＳｃｒｉｐｔ（登録商標）等のスクリプト言語やＣＳＳ（Cascading  Style  Sheets）等のスタイルシート言語により記述される。広告配信サーバ２０の構成は後述する。
【００５７】
コンテンツ配信サーバ３０は、端末装置１００にメインコンテンツの情報を配信するサーバ装置である。例えば、コンテンツ配信サーバ３０は、端末装置１００にインストールされた各種アプリ（例えば、ポータルアプリ、ニュースアプリ、オークションサイト、天気予報アプリ、ショッピングアプリ、ファイナンス（株価）アプリ、路線検索アプリ、地図提供アプリ、旅行アプリ、飲食店紹介アプリ、ブログ閲覧アプリ等）に表示する情報を端末装置１００に配信する装置である。或いは、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページを端末装置１００に配信する装置である。コンテンツ配信サーバ３０は、アプリのデータそのものを配信するサーバであってもよいし、ポータルサイト等のウェブページを配信するサーバであってもよい。また、コンテンツ配信サーバ３０は、端末装置１００に制御情報を配信する配信装置としても機能する。コンテンツ配信サーバ３０の構成は後述する。
【００５８】
〔３．広告配信サーバの構成例〕
次に、広告配信サーバ２０の構成について説明する。広告配信サーバ２０は、端末装置１００、広告主端末１０等のクライアント端末からの要求を処理するサーバ用ホストコンピュータ（以下、単に「サーバ」という。）である。広告配信サーバ２０は、ＰＣサーバであってもよいし、ミッドレンジサーバであってもよいし、メインフレームサーバであってもよい。また、広告配信サーバ２０は、１つのサーバにより構成されていてもよいし、協働して処理を実行する複数のサーバにより構成されていてもよい。広告配信サーバ２０が複数のサーバで構成される場合、これらサーバの設置場所は離れていてもよい。設置場所が離れていたとしても、協働して処理を実行するのであれば、これらサーバは１つの広告配信サーバとみなすことができる。
【００５９】
図７は、実施形態に係る広告配信サーバ２０の構成例を示す図である。広告配信サーバ２０は、通信部２１と、記憶部２２と、制御部２３と、を備える。なお、図７に示した構成は機能的な構成であり、ハードウェア構成はこれとは異なっていてもよい。
【００６０】
通信部２１は、外部の装置と通信する通信インタフェースである。通信部２１は、ネットワークインタフェースであってもよいし、機器接続インタフェースであってもよい。例えば、通信部２１は、ＮＩＣ（Network  Interface  Card）等のＬＡＮインタフェースであってもよいし、ＵＳＢ（Universal  Serial  Bus）ホストコントローラ、ＵＳＢポート等により構成されるＵＳＢインタフェースであってもよい。また、通信部２１は、有線インタフェースであってもよいし、無線インタフェースであってもよい。通信部２１は、広告配信サーバ２０の通信手段として機能する。通信部２１は、制御部２３の制御に従って端末装置１００、広告主端末１０、及びコンテンツ配信サーバ３０と通信する。
【００６１】
記憶部２２は、ＤＲＡＭ（Dynamic  Random  Access  Memory）、ＳＲＡＭ（Static  Random  Access  Memory）、フラッシュメモリ、ハードディスク等のデータ読み書き可能な記憶装置である。記憶部２２は、広告配信サーバ２０の記憶手段として機能する。記憶部２２は、広告データベース２４を記憶する。
【００６２】
広告データベース２４は、広告主端末１０から入稿された広告コンテンツに関する各種情報が格納されたデータベースである。図８は、実施形態に係る広告データベース２４に格納された情報の一例を示す図である。図８に示した例では、広告データベース２４は、広告主ＩＤ、広告コンテンツ、インプレッション数、インプレッション保証数、対価といった項目を有している。
【００６３】
「広告主ＩＤ」は、広告主または広告主端末１０を識別するための識別情報を示す。「広告コンテンツ」は、広告主端末１０から入稿されたコンテンツ、すなわち、コンテンツＣ２１、Ｃ２２、Ｃ２３等の広告に係るコンテンツを示す。なお、図８に示す例では、「広告コンテンツ」には「Ｃ２０」〜「Ｃ７０」といった概念的な情報が格納されているが、音声データ、画像データ、テキストデータ、ゲームデータ、ゲーム形式の広告データ等、コンテンツのデータそのものが格納されていてもよい。なお、「広告コンテンツ」には、各コンテンツが所在するＵＲＬ、または、これらの格納場所を示すファイルパス名などが格納されていてもよい。
【００６４】
「インプレッション数」は、広告コンテンツが表示された回数を示す。また、「インプレッション保証数」は、対価に対して保証されている広告コンテンツの表示回数を示す。また、「対価」は、「インプレッション保証数」だけ広告コンテンツが表示された際に広告主から支払われる報酬を示す。すなわち、広告配信サーバ２０は、広告に係るコンテンツをインプレッション保証型で配信するサーバである。
【００６５】
すなわち、図８の例では、広告主ＩＤ「Ｋ１０」によって識別される広告主が、コンテンツＣ２０を広告コンテンツとして入稿した例を示している。コンテンツＣ２０は、図２〜図５で示したコンテンツＣ２１、Ｃ２２、Ｃ２３であってもよい。また、図８では、広告コンテンツ「Ｃ２０」のインプレッション数が「１００００」であり、インプレッション保証数が「２００００」であり、インプレッション保証数だけコンテンツ「Ｃ２０」が表示された際の対価（課金額）が「ａａａ」である例を示している。ここで、広告配信サーバ２０は、１つのページに配置される複数のコンテンツ（複数の広告コンテンツ）ごとにインプレッション数を計数してもよいし、１つのページの複数のコンテンツ（複数の広告コンテンツ）を１つの広告とみなしてインプレッション数を計数してもよい。
【００６６】
なお、広告配信サーバ２０がクリック課金形式広告を配信するのであれば、広告データベース２４には、コンテンツが選択された回数や、コンテンツが選択された際の課金額等が登録される。ここで、クリック課金形式広告とは、広告コンテンツが選択される度に課金が行われる広告である。また、広告配信サーバ２０が入札形式広告を配信するのであれば、広告データベース２４には、１インプレッションあたりの報酬として広告主が設定した広告料金である入札価格や、ＣＴＲ（Click  Through  Rate）等が登録される。ここで、入札形式広告とは、広告配信サーバ２０が配信要求を受信した際に、入札形式で広告コンテンツを選択する形式の広告のことである。
【００６７】
なお、広告データベース２４は、上記以外の項目の情報を記憶してもよい。例えば、広告データベース２４は、コンテンツとユーザとのマッチングを行うための情報や、ＣＴＲ（Click  Through  Rate）といった情報をさらに記憶してもよい。また、広告データベース２４には、広告コンテンツの表示態様の変更を指示する表示指示が登録されていてもよい。例えば、表示指示には、コンテンツＣ２１、Ｃ２２、Ｃ２３の表示領域Ａ３の配置位置や、コンテンツＣ２１、Ｃ２２、Ｃ２３の配置位置の情報が含まれていてもよい。例えば、表示指示には、コンテンツＣ１の上端を基準とした表示領域Ａ３の位置や大きさ等を示す情報が含まれていてもよい。なお、表示指示には、中央領域Ａ２の設定値が含まれていてもよい。また、表示指示には、他のページへの遷移の契機となる利用者の操作や端末装置１００の状態等を示す情報が含まれていてもよい。表示指示の設定は、例えば、広告主が広告コンテンツを登録する際に、広告主によって行われる。
【００６８】
図７に戻り、制御部２３は、コントローラ（controller）であり、例えば、ＣＰＵ（Central  Processing  Unit）、ＭＰＵ（Micro  Processing  Unit）等のプロセッサによって、広告配信サーバ２０内部の記憶装置に記憶されている各種プログラムがＲＡＭ（Random  Access  Memory）等を作業領域として実行されることにより実現される。また、制御部２３は、コントローラであり、例えば、ＡＳＩＣ（Application  Specific  Integrated  Circuit）やＦＰＧＡ（Field  Programmable  Gate  Array）等の集積回路により実現されてもよい。
【００６９】
制御部２３は、図７に示すように、入稿受付部２５と、要求受付部２６と、広告選択部２７と、配信部２８と、を備える。制御部２３を構成するブロック（入稿受付部２５〜配信部２８）はそれぞれ制御部２３の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部２３は上述の機能ブロックとは異なる機能単位で構成されていてもよい。
【００７０】
入稿受付部２５は、広告主端末１０から広告コンテンツの入稿を受け付ける。具体的には、入稿受付部２５は、対価の指定とともに広告コンテンツの入稿を受け付ける。また、入稿受付部２５は、広告コンテンツの表示指示を受け付ける。かかる場合、入稿受付部２５は、広告コンテンツおよび表示指示を、広告主ＩＤ及び対価の値とともに広告データベース２４に登録する。
【００７１】
要求受付部２６は、端末装置１００から広告コンテンツの取得要求を受け付ける。例えば、要求受付部２６は、広告コンテンツの取得要求として、ＨＴＴＰ（Hypertext  Transfer  Protocol）リクエストを受け付ける。
【００７２】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置やユーザの属性に基づいて、広告データベース２４に登録されている広告コンテンツから配信対象となる広告コンテンツのマッチングを行う。
【００７３】
かかるマッチングにおいては、インプレッション数が、インプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。
【００７４】
また、広告選択部２７は、コンテンツＣ１、Ｃ４が検索アプリの画面や検索ページである場合には、ユーザにより指定された検索キーワードとマッチする広告コンテンツを抽出する検索連動型広告と呼ばれる広告配信手法を用いてもよい。また、広告選択部２７は、ユーザの属性情報（サイコグラフィック属性、デモグラフィック属性など）とマッチする広告コンテンツを抽出するターゲティング配信と呼ばれる広告配信手法を用いてもよい。その後、広告選択部２７は、配信対象として選択された広告コンテンツを配信部２８に出力する。
【００７５】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す内容の情報表示処理を端末装置１００に実行させるための制御情報を生成する。そして、配信部２８は、生成した制御情報と、広告コンテンツとを端末装置１００に対して配信する。
【００７６】
なお、制御情報は、ＪａｖａＳｃｒｉｐｔ（登録商標）等のスクリプト言語で記載されたプログラムであってもよい。勿論、制御情報は、スクリプト言語以外のコンピュータ言語で記載された情報であってもよい。例えば、制御情報は、ＨＴＭＬ、ＸＭＬ等のマークアップ言語で記載された情報であってもよいし、ＣＳＳ、ＣＳＳ３等のスタイルシート言語で記載された情報であってもよい。また、制御情報は、Ｊａｖａ（登録商標）、Ｓｗｉｆｔ、Ｃ言語、Ｃ＋＋等のプログラミング言語で記載され、コンパイル等されたプログラム（例えば、アプリそのもの）であってもよい。なお、最終的に端末装置１００がプログラムを実行できるのであれば、制御情報は、コンパイルされたプログラムでなくてもよい。その他、制御情報は、インタプリタ言語（例えば、スクリプト言語）、機械言語、或いは中間言語の形式で提供されるデータ（プログラム）であってもよい。
【００７７】
〔４．コンテンツ配信サーバの構成例〕
次に、コンテンツ配信サーバ３０の構成について説明する。コンテンツ配信サーバ３０は、端末装置１００等のクライアント端末からの要求を処理するサーバ用ホストコンピュータ（以下、単に「サーバ」という。）である。コンテンツ配信サーバ３０は、ＰＣサーバであってもよいし、ミッドレンジサーバであってもよいし、メインフレームサーバであってもよい。また、コンテンツ配信サーバ３０は、１つのサーバにより構成されていてもよいし、協働して処理を実行する複数のサーバにより構成されていてもよい。コンテンツ配信サーバ３０が複数のサーバで構成される場合、これらサーバの設置場所は離れていてもよい。設置場所が離れていたとしても、協働して処理を実行するのであれば、これらサーバは１つの広告配信サーバとみなすことができる。
【００７８】
図９は、実施形態に係るコンテンツ配信サーバ３０の構成例を示す図である。コンテンツ配信サーバ３０は、通信部３１と、コンテンツ記憶部３２と、制御部３３と、を備える。なお、図９に示した構成は機能的な構成であり、ハードウェア構成はこれとは異なっていてもよい。
【００７９】
通信部３１は、外部の装置と通信する通信インタフェースである。通信部３１は、ネットワークインタフェースであってもよいし、機器接続インタフェースであってもよい。例えば、通信部３１は、ＮＩＣ等のＬＡＮインタフェースであってもよいし、ＵＳＢホストコントローラ、ＵＳＢポート等により構成されるＵＳＢインタフェースであってもよい。また、通信部３１は、有線インタフェースであってもよいし、無線インタフェースであってもよい。通信部３１は、コンテンツ配信サーバ３０の通信手段として機能する。通信部３１は、制御部３３の制御に従って端末装置１００、及び広告配信サーバ２０と通信する。
【００８０】
コンテンツ記憶部３２は、ＤＲＡＭ、ＳＲＡＭ、フラッシュメモリ、ハードディスク等のデータ読み書き可能な記憶装置である。コンテンツ記憶部３２は、コンテンツ配信サーバ３０の記憶手段として機能する。コンテンツ記憶部３２は、コンテンツが配置されたページの情報を記憶する。例えば、コンテンツ記憶部３２は、ページを形成するＨＴＭＬファイルや、ページに表示される画像のデータを記憶する。
【００８１】
制御部３３は、コントローラであり、例えば、ＣＰＵ、ＭＰＵ等のプロセッサによって、コンテンツ配信サーバ３０内部の記憶装置に記憶されている各種プログラムがＲＡＭ等を作業領域として実行されることにより実現される。また、制御部３３は、コントローラであり、例えば、ＡＳＩＣやＦＰＧＡ等の集積回路により実現されてもよい。
【００８２】
制御部３３は、図９に示すように、受付部３４と、配信部３５と、を備える。制御部３３を構成するブロック（受付部３４、配信部３５）はそれぞれ制御部３３の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部３３は上述の機能ブロックとは異なる機能単位で構成されていてもよい。
【００８３】
受付部３４は、端末装置１００からメインコンテンツの取得要求を受け付ける。例えば、受付部３４は、アプリのデータの取得要求を受け付ける。メインコンテンツがウェブページの情報なのであれば、受付部３４は、ウェブページの取得要求として、ＨＴＴＰリクエストを受け付ける。
【００８４】
配信部３５は、受付部３４がメインコンテンツの取得要求を受け付けた場合に、メインコンテンツの情報を端末装置１００に配信する。具体的には、配信部３５は、コンテンツ記憶部３２から取得要求対象のメインコンテンツの情報をコンテンツ記憶部３２から取得し、取得したメインコンテンツの情報を端末装置１００に配信する。このとき、メインコンテンツの情報には、制御情報が含まれていてもよい。
【００８５】
制御情報は、ＪａｖａＳｃｒｉｐｔ（登録商標）等のスクリプト言語で記載されたプログラムであってもよい。勿論、制御情報は、スクリプト言語以外のコンピュータ言語で記載された情報であってもよい。例えば、制御情報は、ＨＴＭＬ、ＸＭＬ等のマークアップ言語で記載された情報であってもよいし、ＣＳＳ、ＣＳＳ３等のスタイルシート言語で記載された情報であってもよい。また、制御情報は、Ｊａｖａ（登録商標）、Ｓｗｉｆｔ、Ｃ言語、Ｃ＋＋等のプログラミング言語で記載され、コンパイル等されたプログラム（例えば、アプリそのもの）であってもよい。なお、最終的に端末装置１００がプログラムを実行できるのであれば、制御情報は、コンパイルされたプログラムでなくてもよい。その他、制御情報は、インタプリタ言語（例えば、スクリプト言語）、機械言語、或いは中間言語の形式で提供されるデータ（プログラム）であってもよい。
【００８６】
なお、制御情報には、広告コンテンツの表示指示の情報が含まれていてもよい。例えば、表示指示には、コンテンツＣ２１、Ｃ２２、Ｃ２３の表示領域Ａ３の配置位置や、コンテンツＣ２１、Ｃ２２、Ｃ２３の配置位置の情報が含まれていてもよい。例えば、表示指示には、コンテンツＣ１の上端を基準とした表示領域Ａ３の位置や大きさ等を示す情報が含まれていてもよい。なお、表示指示には、中央領域Ａ２の設定値が含まれていてもよい。また、表示指示には、他のページへの遷移の契機となる利用者の操作や端末装置１００の状態等を示す情報が含まれていてもよい。
【００８７】
〔５．端末装置の構成例〕
次に、端末装置１００の構成について説明する。端末装置１００は、ユーザがページの閲覧に使用する情報表示装置である。端末装置１００は、例えば、スマートフォン、タブレット、携帯電話等の通信端末である。通信機能を備えるのであれば、端末装置１００は、パーソナルコンピュータ（ノートＰＣ、デスクトップＰＣ）、ＰＤＡ（Personal  Digital  Assistant）等の情報処理端末であってもよい。この場合、情報処理端末も通信端末の一種である。端末装置１００は、ネットワークＮを介して広告配信サーバ２０、及びコンテンツ配信サーバ３０と接続する。
【００８８】
図１０は、実施形態に係る端末装置１００の構成例を示す図である。端末装置１００は、通信部１１０と、入力部１２０と、記憶部１３０と、出力部１４０と、制御部１６０と、を備える。なお、図１０に示した構成は機能的な構成であり、ハードウェア構成はこれとは異なっていてもよい。
【００８９】
通信部１１０は、外部の装置と通信する通信インタフェースである。通信部１１０は、ネットワークインタフェースであってもよいし、機器接続インタフェースであってもよい。例えば、通信部１１０は、ＮＩＣ等のＬＡＮインタフェースであってもよいし、ＵＳＢホストコントローラ、ＵＳＢポート等により構成されるＵＳＢインタフェースであってもよい。また、通信部１１０は、有線インタフェースであってもよいし、無線インタフェースであってもよい。通信部１１０は、端末装置１００の通信手段として機能する。通信部１１０は、制御部１６０の制御に従って広告配信サーバ２０、及びコンテンツ配信サーバ３０と通信する。
【００９０】
入力部１２０は、外部から各種入力を受け付ける入力装置である。例えば、入力部１２０は、キーボードやマウスや操作キー等、ユーザが各種操作を行うための操作装置である。入力部１２０は、端末装置１００の入力手段として機能する。なお、端末装置１００にタッチパネルが採用される場合には、タッチパネルも入力部１２０に含まれる。この場合、ユーザは、指やスタイラスで画面をタッチすることにより各種操作を行う。
【００９１】
記憶部１３０は、ＤＲＡＭ（Dynamic  Random  Access  Memory）、ＳＲＡＭ（Static  Random  Access  Memory）、フラッシュメモリ、ハードディスク等のデータ読み書き可能な記憶装置である。記憶部１３０は、端末装置１００の記憶手段として機能する。記憶部１３０は、アプリケーションのデータが格納されている。アプリケーションのデータは、ウェブブラウザのデータであってもよい。以下の説明では、ウェブブラウザのことを単にブラウザという。
【００９２】
出力部１４０は、音、光、振動、画像等、外部に各種出力を行う装置である。出力部１４０は、端末装置１００の出力手段として機能する。出力部１４０は、各種情報を表示するディスプレイ１４１を備える。ディスプレイ１４１は、端末装置１００の画面であり、メインディスプレイである。ディスプレイ１４１は、例えば、液晶ディスプレイ、有機ＥＬ（Electro  Luminescence）ディスプレイである。なお、端末装置１００にタッチパネルが採用される場合には、表示装置（以下、画面という。）は入力部１２０と一体であってもよい。出力部１４０は、制御部１６０の制御に従って、画面に画像を表示する。
【００９３】
撮像部１５０は、画像（動画或いは静止画）を撮像するための撮像装置（カメラ）である。撮像部１５０は、ＣＣＤ（Charged-coupled  devices）センサやＣＭＯＳ（Complementary  metal-oxide-semiconductor）センサ等の撮像素子により構成される。撮像部１５０は、アウトカメラ１５１とインカメラ１５２とを備える。アウトカメラ１５１は、端末装置１００の背面側（ディスプレイ１４１が設置された面の反対側の面）に設置されるメインカメラである。インカメラ１５２は、端末装置１００の背面側（ディスプレイ１４１が設置された面）に設置されるサブカメラである。
【００９４】
制御部１６０は、コントローラであり、例えば、ＣＰＵ、ＭＰＵ等のプロセッサによって、端末装置１００内部の記憶装置に記憶されている各種プログラムがＲＡＭ等を作業領域として実行されることにより実現される。また、制御部１６０は、コントローラであり、例えば、ＡＳＩＣやＦＰＧＡ等の集積回路により実現されてもよい。
【００９５】
制御部１６０は、図１０に示すように、表示部１６１と、表示制御部１６２と、記録制御部１６３と、投稿制御部１６４と、を備える。制御部１６０を構成するブロック（表示部１６１〜投稿制御部１６４）はそれぞれ制御部１６０の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部１６０は上述の機能ブロックとは異なる機能単位で構成されていてもよい。
【００９６】
表示部１６１は、撮像部１５０を有する端末装置１００の画面に第１のコンテンツを表示する。
【００９７】
表示制御部１６２は、第１のコンテンツ内の所定の領域（例えば、広告領域等、第１のコンテンツ内の一部領域）に、撮像部１５０で撮像した撮像画像（第１の画像）を、撮像画像上に第２のコンテンツが重畳した状態で表示する。
【００９８】
また、撮像画像は、撮像部１５０が現在撮像しているリアルタイムの動画像である。表示制御部１６２は、動画像を、動画像上に第２のコンテンツが重畳した状態で表示する。
【００９９】
また、表示制御部１６２は、ユーザの操作に応じて、撮像部１５０を起動するための処理を開始し、撮像部１５０が起動した後、撮像部１５０で撮像した撮像画像を第２のコンテンツが重畳した状態で表示する。
【０１００】
また、表示制御部１６２は、第１のコンテンツに配置された第１の操作手段へのユーザの操作に応じて、撮像部１５０を起動するための処理を開始し、撮像部１５０が起動した後、撮像部１５０で撮像した撮像画像を第２のコンテンツが重畳した状態で表示する。
【０１０１】
また、表示制御部１６２は、所定のタイミングで、撮像部１５０の起動の許可をユーザに求めるための出力を実行し、撮像部１５０の起動を許可する旨のユーザの操作があった場合に撮像部１５０を起動する。
【０１０２】
また、表示制御部１６２は、第１のコンテンツのスクロールにより所定の領域が画面上の所定の表示領域に位置したタイミングで、撮像部１５０の起動の許可をユーザに求めるための出力を実行し、撮像部１５０の起動を許可する旨のユーザの操作があった場合に撮像部１５０を起動する。
【０１０３】
また、表示制御部１６２は、他のコンテンツからの遷移により第１のコンテンツが画面に表示されたタイミングで、撮像部１５０の起動の許可をユーザに求めるための出力を実行し、撮像部１５０の起動を許可する旨のユーザの操作があった場合に撮像部１５０を起動する。
【０１０４】
また、表示制御部１６２は、所定の領域に表示された第２のコンテンツに対してユーザが所定の操作を行った場合に、撮像部１５０の起動の許可をユーザに求めるための出力を実行し、撮像部１５０の起動を許可する旨のユーザの操作があった場合に撮像部１５０を起動する。
【０１０５】
また、表示制御部１６２は、第２のコンテンツとして第１のオブジェクトを含むコンテンツを表示する。
【０１０６】
また、表示制御部１６２は、撮像画像に映る第２のオブジェクトの大きさに基づいて所定の領域に表示する第１のオブジェクトの大きさを判別する。
【０１０７】
また、表示制御部１６２は、第２のコンテンツとしてコンテンツ内に所定の形状の透過領域を有する画像（第２の画像）を表示する。このとき、表示制御部１６２は、ネットワークを通じて得た撮影画像に基づき作成された画像（第２の画像）を第２のコンテンツとして表示してもよい。また、表示制御部１６２は、リアルタイムの映像に基づき作成された画像（第２の画像）を第２のコンテンツとして表示してもよい。
【０１０８】
また、撮像部１５０は少なくともインカメラを有する。表示制御部１６２は、インカメラで撮像した撮像画像を、撮像画像上に第２のコンテンツが重畳した状態で表示する。
【０１０９】
また、表示制御部１６２は、ユーザの操作に応じて、第１のコンテンツを拡大或いは縮小することなく、所定の領域内の撮像画像及び第２のコンテンツの一方を拡大或いは縮小する。
【０１１０】
また、表示制御部１６２は、第２のコンテンツとしてユーザの操作により回転する立体オブジェクトを含むコンテンツを表示する。
【０１１１】
記録制御部１６３は、第１のコンテンツに配置された第１の操作手段へのユーザの操作に応じて、所定の領域に表示されている撮像画像であって第２のコンテンツが重畳した状態の撮像画像を記憶手段に保存する。
【０１１２】
記録制御部１６３は、第１の操作手段へのユーザの操作に応じて、所定の領域に表示されている撮像画像であって第２のコンテンツが重畳した状態の撮像画像を静止画として保存する。
【０１１３】
撮像画像は、撮像部１５０が現在撮像しているリアルタイムの動画像である。そして、記録制御部１６３は、第１の操作手段へのユーザの操作に応じて、所定の領域に表示されている動画像であって第２のコンテンツが重畳した状態の動画像を動画として保存する。
【０１１４】
投稿制御部１６４は、第１のコンテンツに配置された第２の操作手段へのユーザの操作に応じて、所定の領域に表示されている撮像画像であって第２のコンテンツが重畳した状態の撮像画像を、ネットワークを使った所定の情報サービスに投稿する。
【０１１５】
投稿制御部１６４は、第２のコンテンツを特定するタグ情報を付与した撮像画像を投稿する。このとき、タグ情報は、第２のコンテンツの広告情報（例えば、商品名、サービス名、提供企業名等）であってもよい。
【０１１６】
〔６．メインコンテンツの構成例〕
次に、出力部１４０に表示されるメインコンテンツの構成例について説明する。以下、図２〜図５に示したコンテンツＣ１を例にメインコンテンツの構成例を説明する。コンテンツＣ１は、例えば、ニュース、天気予報、受信メールのインデックスや内容、フォトビュワー、その他各種のコンテンツが配置された配置面（例えば、アプリの画面）である。コンテンツＣ１、Ｃ４は、スマートデバイス用に最適化されたウェブページであってもよい。この場合、コンテンツＣ１は、ＨＴＭＬ、ＸＭＬ（Extensible  Markup  Language）等で記述される。
【０１１７】
コンテンツＣ１は、スマートデバイス用に最適化されたメインコンテンツ（例えば、アプリの画面やウェブページ）である。本実施形態では、コンテンツＣ１の横方向の長さは、端末装置１００が有する画面の横方向の長さと同じである。また、コンテンツＣ１は、縦方向の長さが、端末装置１００のコンテンツ表示領域の縦方向の長さより長い。コンテンツ表示領域は、メインコンテンツが表示される領域である。図１の例では、符号のＡ１で示した領域がコンテンツ表示領域である。コンテンツＣ１はコンテンツ表示領域Ａ１に対してスクロール可能である。
【０１１８】
コンテンツＣ１には、複数のコンテンツがタイル状に配置されている。コンテンツＣ１に配置されるコンテンツは、例えば、ニュース、天気予報、受信メールのインデックスや内容、フォトビュワー等のコンテンツである。コンテンツＣ１に配置されるコンテンツは、動画、静止画、テキストデータ等であってもよい。コンテンツＣ１は、タイル状のコンテンツごとに操作や更新等を行うことが可能である。タイルは、その大きさ、配置位置等が、タイルごとに異なっていてもよい。また、タイルは、その大きさ、配置位置等が、ユーザの操作に応じて変化するよう構成されていてもよいし、任意のタイミングで自動的に変化するよう構成されていてもよい。
【０１１９】
コンテンツＣ１は、ＣＳＳ（Cascading  Style  Sheets）、ＪａｖａＳｃｒｉｐｔ（登録商標）、ＨＴＭＬ５等、動的なコンテンツを実現可能なコンピュータ言語を使用して記述される。そのため、コンテンツＣ１は、ユーザの操作によりコンテンツの表示態様を変更可能である。
【０１２０】
なお、コンテンツＣ１には、タイル状のコンテンツ以外にも、検索キーワードを入力するための入力欄や、他のウェブページへのリンク等が配置されていてもよい。また、コンテンツＣ１には、広告コンテンツを広告配信サーバ２０から取得するよう指示する取得命令が含まれる。例えば、コンテンツＣ１を形成するＨＴＭＬファイル等には、広告配信サーバ２０のＵＲＬや、広告コンテンツを取得して、表示させるための各種スクリプト等が取得命令として記述される。
【０１２１】
広告コンテンツという概念には、営利若しくは非営利の広告だけではなく、ボランティアの募集、公共広告、公共に対する通知、コンテンツＣ１にかかる情報の一部、その他任意のコンテンツが含まれるものとする。なお、広告コンテンツは、広告対象に関する情報を直接的に含むコンテンツに限られない。他の広告コンテンツに含まれる情報、または、広告コンテンツと関連するコンテンツ（例えば、ランディングページ等）に含まれる情報を広く報知するものであれば、画像、動画像、文字、図形、記号、ハイパーリンク等、任意のコンテンツを広告コンテンツとして適用可能である。すなわち、ユーザに対して、メインコンテンツに対する興味とは異なる興味を生じさせようとするコンテンツであれば、任意のコンテンツを広告コンテンツとして適用可能である。
【０１２２】
〔７．広告コンテンツの配置例〕
次に、広告コンテンツの配置例について説明する。以下、図２〜図５に示したコンテンツＣ２１、Ｃ２２、Ｃ２３を例に広告コンテンツの配置例を説明する。
【０１２３】
コンテンツＣ２１、Ｃ２２、Ｃ２３は、例えば、一部に透過領域を有するコンテンツである。図２に示すコンテンツＣ２１は、透過領域となった背景の中央に時計のオブジェクトが配置されたコンテンツである。図４に示すコンテンツＣ２２は、コンテンツ内に所定の形状の透過領域を有する画像のコンテンツである。図５に示すコンテンツＣ２３は、透過領域となった背景の中央に車の立体オブジェクトが配置されたコンテンツである。本実施形態では、コンテンツＣ２１、Ｃ２２、Ｃ２３の横方向の長さは、端末装置１００が有する画面の横方向の長さと同じである。また、本実施形態では、コンテンツＣ２、Ｃ３、Ｃ５は、縦方向の長さが、端末装置１００のコンテンツ表示領域Ａ１の縦方向の長さと同じ或いは短い。
【０１２４】
図２〜図５の例では、コンテンツＣ２１、Ｃ２２、Ｃ２３は、いずれも、表示領域Ａ３に固定されている。なお、本実施形態では、表示領域Ａ３はコンテンツＣ２１、Ｃ２２、Ｃ２３と同じ大きさである。コンテンツＣ２１、Ｃ２２、Ｃ２３の背面側には撮像画像Ｐ１１〜Ｐ１３が配置される。そのため、ユーザはコンテンツＣ２１、Ｃ２２、Ｃ２３の透過領域を通じて撮像画像Ｐ１１、Ｐ１２、Ｐ１３を視認可能である。コンテンツＣ２１、Ｃ２２、Ｃ２３及び撮像画像Ｐ１１、Ｐ１２、Ｐ１３は、コンテンツＣ１のスクロールとともに移動する。
【０１２５】
〔８．端末装置の処理フロー〕
次に、図１１を参照しながら、制御情報を実行した端末装置１００が実行する処理の手順について説明する。図１１は、情報表示処理の一例を示すフローチャートである。
【０１２６】
端末装置１００は、ユーザの操作に応じてコンテンツ配信サーバ３０にメインコンテンツ（例えば、コンテンツＣ１）の配信を要求する。そして、端末装置１００は、コンテンツ配信サーバ３０からメインコンテンツを受信する（ステップＳ１１）。次に、端末装置１００は、配信されたメインコンテンツに広告コンテンツの取得命令が含まれる場合は、広告配信サーバ２０に対して広告コンテンツのリクエスト（配信要求）を送信する（ステップＳ１２）。
【０１２７】
次に、端末装置１００は、広告コンテンツを受信したか判別する（ステップＳ１３）。広告コンテンツを受信していない場合（ステップＳ１３：Ｎｏ）、端末装置１００は、再度ステップＳ１３を実行する。広告コンテンツを受信している場合（ステップＳ１３：Ｙｅｓ）、端末装置１００は、受信したコンテンツを画面に表示する（ステップＳ１４）。このとき、端末装置１００は、メインコンテンツとともに広告コンテンツ（例えば、コンテンツＣ２１、Ｃ２２、或いはＣ２３）も画面に表示する。
【０１２８】
次に、端末装置１００は、カメラの起動条件を満たしたか判別する（ステップＳ１５）。例えば、端末装置１００は、コンテンツＣ１の表示領域Ａ３（広告領域）の一部或いは全部が画面に表示されたか（インビューしたか）判別する。そして、広告領域がインビューしたら、端末装置１００は、カメラの起動の許可を求める表示Ｍ１を画面に出力する。出力に応じて、ユーザがカメラの起動を許可する操作を行ったら、端末装置１００は、カメラの起動条件が満たされたと判別する。カメラの起動条件を満たしていない場合（ステップＳ１５：Ｎｏ）、端末装置１００は、ステップＳ２０に処理を進める。
【０１２９】
撮像部１５０の起動条件を満たした場合（ステップＳ１５：Ｙｅｓ）、端末装置１００は、撮像部１５０の起動処理を実行する（ステップＳ１６）。撮像部１５０が起動したら、端末装置１００は、撮像部１５０で撮像された撮像画像を表示領域Ａ３に表示する（ステップＳ１７）。このとき、端末装置１００は、撮像画像上に広告コンテンツが重畳した状態で撮像画像を表示領域Ａ３に表示する。
【０１３０】
続いて、端末装置１００は、表示領域Ａ３に対する操作が行われたか判別する（ステップＳ１８）。例えば、端末装置１００は、表示領域Ａ３に表示されている第２のコンテンツの拡大操作（例えば、ピンチアウト）、縮小操作（例えば、ピンチイン）が行われたか判別する。或いは、端末装置１００は、表示領域Ａ３に表示されている画像の保存操作或いは投稿操作が行われたか判別する。表示領域Ａ３に対する操作が行われていない場合（ステップＳ１８：Ｎｏ）、端末装置１００は、ステップＳ２０に処理を進める。
【０１３１】
表示領域Ａ３に対する操作が行われた場合（ステップＳ１８：Ｙｅｓ）、端末装置１００は、操作に対応する処理を実行する（ステップＳ１９）。例えば、第２のコンテンツの拡大操作或いは縮小操作が行われた場合、端末装置１００は、第２のコンテンツの拡大或いは縮小を実行する。表示領域Ａ３に表示されている画像の保存操作或いは投稿操作が行われた場合、端末装置１００は、表示領域Ａ３に表示されている画像の保存或いは投稿を実行する。
【０１３２】
続いて、端末装置１００は、リンクのタップ等、ユーザにより遷移操作（例えば、ページの遷移操作）が行われたか判別する（ステップＳ２０）。遷移操作が行われていない場合（ステップＳ２０：Ｎｏ）、端末装置１００は、ステップＳ１８に処理を戻す。遷移操作が行われた場合（ステップＳ２０：Ｙｅｓ）、端末装置１００は、メインコンテンツのリクエストを送信する（ステップＳ２１）。リクエストの送信が終了したら、端末装置１００は、ステップＳ１１に処理を戻し、ステップＳ１１〜Ｓ２１の処理を繰り返す。
【０１３３】
〔９．変形例〕
上述の実施形態は一例を示したものであり、種々の変更及び応用が可能である。
【０１３４】
〔９−１．コンテンツの態様について〕
上述の実施形態では、第１のコンテンツ（例えば、コンテンツＣ１）をメインコンテンツ、第２のコンテンツ（例えば、コンテンツＣ２１、Ｃ２２、Ｃ２３）を広告コンテンツとした。しかし、第１のコンテンツ及び所定のコンテンツは、メインコンテンツ及び広告コンテンツに限られない。第１のコンテンツ及び第２のコンテンツはいずれも配置面上のコンテンツであってもよい。このとき、第１のコンテンツ及び第２のコンテンツは、広告コンテンツ以外のコンテンツであってもよい。また、第１のコンテンツ及び第２のコンテンツは静止画や立体オブジェクトを含むコンテンツに限られず、例えば、動画やテキスト情報を含むコンテンツであってもよい。また、第１のコンテンツ及び第２のコンテンツは静止画、動画、立体オブジェクト、テキスト情報を含むコンテンツに限られず、例えば、ゲーム等を含むコンテンツであってもよい。第１のコンテンツ及び第２のコンテンツは、いわゆるプレイアブル広告を含むコンテンツであってもよい。また、第１のコンテンツ及び第２のコンテンツは、音声を含むコンテンツであってもよい。また、第１のコンテンツ及び所定のコンテンツは、ゲームのメニューやチュートリアル等の補助コンテンツであってもよい。
【０１３５】
〔９−２．制御情報について〕
上述の実施形態では、端末装置１００は、コンテンツ配信サーバ３０がメインコンテンツとともに配信する制御情報を用いて、情報表示処理を実行した。しかしながら、実施形態は、これに限定されるものではない。例えば、端末装置１００は、上述した制御情報を広告配信サーバ２０から広告コンテンツの情報とともに受信してもよい。そして、端末装置１００は、広告配信サーバ２０から受信した制御情報に従って情報表示処理を実行してもよい。
【０１３６】
また、端末装置１００は、コンテンツＣ１、Ｃ４の表示処理や、上述した情報表示処理等を端末装置１００に実行させるアプリケーションをあらかじめダウンロードし、かかるアプリケーションを実行することで、上述した処理を実現してもよい。アプリケーションのプログラムデータは、コンテンツ配信サーバ等のサーバから配信されたものであってもよい。この場合、アプリケーションのプログラムデータそのものを制御情報とみなすことが可能である。
【０１３７】
〔９−３．装置構成〕
また、上述の実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図７に示した広告配信サーバ２０は、例えば、図９に示したコンテンツ記憶部３２、受付部３４、配信部３５を有する。そして、広告配信サーバ２０は、端末装置１００からメインコンテンツの取得要求を受け付けた場合に、広告コンテンツとともに、取得命令を含まないメインコンテンツを端末装置１００に配信する。
【０１３８】
また、上記実施形態では、広告配信サーバ２０から端末装置１００に広告コンテンツが配信される例を示したが、コンテンツ配信サーバ３０が、広告配信サーバ２０から広告コンテンツを取得し、取得した広告コンテンツをコンテンツＣ１と共に端末装置１００へと送信してもよい。
【０１３９】
また、上述の実施形態では端末装置１００はタッチパネル式の画面を備えるものとしたが、端末装置１００はタッチパネル式の画面を備えていなくてもよい。端末装置１００は、マウス、キーボード等、タッチパネル以外の操作手段を有していてもよい。また、上述の実施形態では、スクロール操作はタッチパネルを使用して実行されるものとしたが、マウスやキーボード等、タッチパネル以外の操作手段を用いて実行されてもよい。コンテンツのクリック（タップ）についても同様である。
【０１４０】
〔９−４．ログについて〕
また、端末装置１００は、広告コンテンツが表示されたか否かを示すログや、ユーザによって選択されたコンテンツのログを取ってもよい。より具体的には、端末装置１００は、広告コンテンツが表示されたか否かを示すログを取ってもよい。また、広告コンテンツが動画の場合、動画（広告コンテンツ）が再生されたか否か、どの再生位置まで動画（広告コンテンツ）が再生されたか等を示すログを取ってもよい。
【０１４１】
また、端末装置１００は、広告コンテンツの表示回数や選択回数、再生された時間等を測定してもよい。また、端末装置１００は、広告コンテンツが選択されたか否か、広告コンテンツがどのようなタイミングで選択されたか等といったログを取ってもよい。例えば、端末装置１００は、動画（広告コンテンツ）がどの再生位置で選択されたか等を示すログを取ってもよい。また、端末装置１００は、広告コンテンツが選択された際のコンテンツＣ１の表示態様を示すログを取ってもよい。例えば、端末装置１００は、動画（広告コンテンツ）の再生が開始する前にコンテンツＣ１の表示を終了した場合、広告コンテンツが表示されていない旨のログ等を取得してもよい。
【０１４２】
このように端末装置１００が取得したログは、広告コンテンツのインプレッション数やＣＴＲの更新、広告コンテンツ等の表示に対する課金処理、および、広告主に広告効果を報告する際等に有用なログとなる。例えば、スクロール操作により広告コンテンツが何度も表示された場合や、広告コンテンツの再生が何度も行われた場合は、広告コンテンツに対してユーザが興味を持ったと予測される。
【０１４３】
このため、広告コンテンツの表示態様を変更した旨を示すログ、動画（広告コンテンツ）の表示時間を示すログ、初期画面からのスクロール操作を示すログ、広告コンテンツを選択したか否かを示すログ等はユーザの広告に対する認知度を示す指標になりえる。
【０１４４】
そこで、広告配信サーバ２０は、取得された各ログを用いて、インプレッション数の更新や、課金額の変更等を行ってもよい。例えば、広告配信サーバ２０は、広告コンテンツの表示時間、選択回数等に応じて課金額を変更してもよい。
【０１４５】
また、端末装置１００が取得したログは、ランディングページに配置されるコンテンツの変更に用いられてもよい。例えば、端末装置１００は、広告コンテンツが最初に表示された際と、広告コンテンツが画面から消去された後、再度表示された場合とで、異なるランディングページを表示してもよい。また、端末装置１００は、広告コンテンツが最初に表示された際と、広告コンテンツが再度表示された場合とで、同一のランディングページを取得するとともに、かかるランディングページを配信するサーバに対して、取得したログの内容等を通知し、ランディングページに配置するコンテンツを変更させてもよい。
【０１４６】
〔９−５．端末装置の操作記録〕
また、上述してきた端末装置１００は、実施形態に係る広告コンテンツとともに表示されたコンテンツＣ１に対して、ユーザがどれだけ端末装置１００を操作したかという記録を広告配信サーバ２０に送信してもよい。具体的には、端末装置１００は、広告コンテンツが表示された際において、ユーザがコンテンツＣ１に対して行ったスクロール操作の内容や回数、ユーザの選択操作、ユーザが広告コンテンツを選択した際におけるコンテンツＣ１の表示態様等を記録する。
【０１４７】
また、端末装置１００は、スクロール操作の回数、リロードした回数や、上述した表示処理、広告コンテンツの内容、広告コンテンツ等を特定する情報について端末装置１００からの発信操作（例えば、ＳＮＳ（Social  Networking  Service）への書き込み）等、ユーザが端末装置１００に対して行う種々の操作を記録することもできる。そして、端末装置１００は、操作履歴に関する情報を広告配信サーバ２０に送信する。
【０１４８】
かかる場合、広告配信サーバ２０は、端末装置１００から配信された操作履歴に関する情報を集計し、かかる情報について分析した情報をさらに取得する。例えば、広告配信サーバ２０は、制御情報とともに広告コンテンツを配信した場合と、配信しなかった場合とについて、スクロール操作の回数や、表示処理を実行した回数、表示したランディングページの種別やランディングページに配置されたコンテンツの種別、ＣＴＲなどの広告効果の指標を比較した情報などを取得する。
【０１４９】
ここで、制御情報とともに広告コンテンツを配信した際にコンテンツＣ１に対して行われた操作の履歴は、広告効果を示す指標となりうる。すなわち、実施形態に係る制御情報を伴う広告コンテンツが表示されるコンテンツＣ１においては、広告コンテンツが選択されることにより先のウェブページ（ランディングページ）が表示されることのみならず、ユーザの操作によってコンテンツＣ１の表示態様が変更されることにより、または広告コンテンツが表示されることにより、どのような操作を行ったかという操作履歴自体がユーザの広告コンテンツへの興味を示す指標といえる。
【０１５０】
例えば、広告配信サーバ２０は、スクロール操作の内容、スクロール操作の回数、広告コンテンツの再生回数や表示回数、コンテンツＣ１の滞在時間等を比較することで、実施形態に係る制御情報を伴う広告コンテンツを表示した際に、広告コンテンツが広く伝えようとする情報、すなわち広告に対する関心をどれくらい発生させたかを示す指標を提供することができる。
【０１５１】
したがって、広告配信サーバ２０は、広告主端末１０に端末装置１００の操作履歴に関する情報を送信することにより、実施形態に係る広告コンテンツが表示されるコンテンツＣ１に対する広告効果の指標を示すレポートとすることができる。なお、広告配信サーバ２０は、広告主端末１０に端末装置１００の操作履歴に関する情報やログをそのまま送信してもよい。
【０１５２】
これにより、広告配信サーバ２０は、端末装置１００における実施形態に係る制御情報を伴う広告コンテンツの表示態様の有用性を広告主に示すことができる。
【０１５３】
〔９−６．その他〕
上述の実施形態では、コンテンツＣ１（第１のコンテンツ）は、１つの広告領域（表示領域Ａ３）を有していたが、コンテンツＣ１は複数の広告領域を有していてもよい。複数の広告領域には、それぞれ、透過領域を有する広告コンテンツが配置されていてもよい。そして、広告コンテンツの背面側には、撮像部１５０で撮像された撮像画像が配置されてもよい。
【０１５４】
また、上述の実施形態では、第２のコンテンツ及び撮像画像は、いずれも、コンテンツＣ１（第１のコンテンツ）上の表示領域Ａ３に固定されていたが、第２のコンテンツ及び撮像画像は必ずしもコンテンツＣ１に固定されなくてもよい。例えば、第２のコンテンツ及び撮像画像は端末装置１００の画面に固定されてもよい。
【０１５５】
図１２は、変形例に係る端末装置１００にコンテンツが表示された様子を示す図である。図１２の例では、コンテンツＣ２４が第２のコンテンツであり、撮像画像Ｐ１４が撮像部１５０で撮像された撮像画像である。コンテンツＣ２４は、透過領域となった背景の中央にオブジェクトＴ１１が配置された広告コンテンツである。撮像画像Ｐ１４は、オブジェクトＴ２１を撮像した画像である。図１２の例では、コンテンツＣ２４は、画面中のコンテンツ表示領域Ａ１と同じ大きさとなっている。コンテンツＣ２４はコンテンツＣ１の背面側に位置している。コンテンツＣ２４は、画面中のコンテンツ表示領域Ａ１に固定されており、コンテンツＣ１がスクロールしても移動しない。また、図１２の例では、コンテンツＣ１の表示領域Ａ３は透過領域となっており、ユーザは、表示領域Ａ３を通じてコンテンツＣ２４の一部を視認可能である。
【０１５６】
端末装置１００は、所定のタイミングで、撮像部１５０の起動の許可をユーザに求めるための出力を実行する。そして、撮像部１５０の起動が許可されると、端末装置１００は、撮像部１５０で撮像した撮像画像Ｐ１４をコンテンツＣ２４の背面に表示する（状態Ｄ３１）。図５の例では、撮像画像Ｐ１４は、コンテンツ表示領域Ａ１と同じ大きさである。撮像画像Ｐ１４は、画面中のコンテンツ表示領域Ａ１に固定されており、コンテンツＣ１がスクロールしても移動しない。
【０１５７】
ユーザがコンテンツＣ１をスクロールすると表示領域Ａ３は移動する（状態Ｄ３２）。上述したように表示領域Ａ３は透過領域である。表示領域Ａ３が移動することにより、コンテンツＣ２４が重畳した撮像画像Ｐ１４の視認可能な部分が変わる。ユーザがコンテンツＣ１をスクロールすることで、コンテンツＣ２４が重畳した撮像画像Ｐ１４の全体を把握可能である。端末装置１００はユーザの操作に応じてコンテンツＣ２５或いは撮像画像Ｐ１４を拡大或いは縮小してもよい。
【０１５８】
ユーザが、保存ボタンＢ１１を押すと、端末装置１００は記憶部にコンテンツＣ２４が重畳した状態の撮像画像Ｐ１４を保存する。また、ユーザが投稿ボタンＢ１２を押すと端末装置１００は所定の情報サービス（例えば、ＳＮＳ）にコンテンツＣ２４が重畳した状態の撮像画像Ｐ１４を投稿する。
【０１５９】
本変形例においても、ユーザの好奇心を刺激することができるので、端末装置１００は、コンテンツＣ２４に係る情報の訴求効果を向上させることができる。
【０１６０】
なお、図１２の例では、第２のコンテンツ及び撮像画像の双方が端末装置１００の画面に固定されたが、撮像画像のみが端末装置１００に固定されてもよい。
【０１６１】
図１３は、変形例に係る端末装置１００にコンテンツが表示された様子を示す図である。図１３の例では、コンテンツＣ２５が第２のコンテンツであり、撮像画像Ｐ１５が撮像部１５０で撮像された撮像画像である。コンテンツＣ２５は、透過領域となった背景の中央にオブジェクトＴ１３が配置された広告コンテンツである。オブジェクトＴ１３は広告対象であるメガネのオブジェクトである。オブジェクトＴ１３は立体オブジェクトであってもよい。撮像画像Ｐ１５は、オブジェクトＴ２３を撮像した画像である。オブジェクトＴ２３は人の上半身の一部であり、例えば、ユーザがインカメラ１５２を使って撮像したユーザ自身の顔である。
【０１６２】
図１３の例では、コンテンツＣ２５は、コンテンツＣ１の表示領域Ａ３と同じ大きさである。コンテンツＣ２５は、コンテンツＣ１の前面側に位置している。コンテンツＣ２５は、表示領域Ａ３に固定されており、コンテンツＣ１がスクロールした場合に、コンテンツＣ１とともに移動する。また、図１３の例では、コンテンツＣ１の表示領域Ａ３は透過領域となっている。
【０１６３】
端末装置１００は、所定のタイミングで、撮像部１５０の起動の許可をユーザに求めるための出力を実行する。そして、撮像部１５０の起動が許可されると、端末装置１００は、撮像部１５０で撮像した撮像画像Ｐ１５をコンテンツＣ１の背面に表示する（状態Ｄ４１）。図１３の例では、撮像画像Ｐ１５は、コンテンツ表示領域Ａ１と同じ大きさである。撮像画像Ｐ１４は、画面中のコンテンツ表示領域Ａ１に固定されており、コンテンツＣ１がスクロールしても移動しない。
【０１６４】
ユーザがコンテンツＣ１をスクロールすると表示領域Ａ３とともにコンテンツＣ２５は移動する（状態Ｄ４２）。表示領域Ａ３が移動することにより、撮像画像Ｐ１５の視認可能な部分が変わる。また、表示領域Ａ３が移動することにより、コンテンツＣ２５の撮像画像Ｐ１５上の重畳位置が変わる。端末装置１００はユーザの操作に応じてコンテンツＣ２５或いは撮像画像Ｐ１５を拡大或いは縮小してもよい。
【０１６５】
ユーザが、コンテンツＣ２５の撮像画像Ｐ１５上の位置を最適な位置に合わせ、保存ボタンＢ１１を押すと、端末装置１００は記憶部にコンテンツＣ２５が重畳した状態の撮像画像Ｐ１５を保存する。また、ユーザが投稿ボタンＢ１２を押すと端末装置１００は所定の情報サービス（例えば、ＳＮＳ）にコンテンツＣ２５が重畳した状態の撮像画像Ｐ１５を投稿する。
【０１６６】
本変形例においても、ユーザの好奇心を刺激することができるので、端末装置１００は、コンテンツＣ２４に係る情報の訴求効果を向上させることができる。
【０１６７】
なお、第２のコンテンツはユーザによって変更してもよい。例えば、端末装置１００は、広告配信サーバ２０に第２のコンテンツを要求する際に、ユーザの識別情報を広告配信サーバ２０に送信する。広告配信サーバ２０は識別情報に係るユーザの属性情報（例えば、サイコグラフィック属性、デモグラフィック属性など）を他のサーバから取得可能に構成されており、識別情報に係るユーザの属性情報に基づいて第２のコンテンツとする広告コンテンツを判別する。例えば、広告配信サーバ２０は、識別情報に係るユーザが男性の場合は、男性用の衣類に関するコンテンツを第２のコンテンツとして配信し、識別情報に係るユーザが女性の場合は、女性用の衣類に関するコンテンツを第２のコンテンツとして配信する。端末装置１００は広告配信サーバ２０から配信されたコンテンツを第１のコンテンツの所定の領域に表示する。
【０１６８】
また、第２のコンテンツは端末装置１００が位置する場所によって変更してもよい。例えば、端末装置１００は、ＧＰＳ（Global  Positioning  System）センサ等の現在位置取得のための装置（位置取得手段）を備える。そして、端末装置１００は、広告配信サーバ２０に第２のコンテンツを要求する際に、端末装置１００の現在位置を広告配信サーバ２０に送信する。広告配信サーバ２０は、端末装置１００の現在位置の情報に基づいて第２のコンテンツとする広告コンテンツを判別する。例えば、広告配信サーバ２０は、端末装置１００の現在位置が東京都の場合は、東京都の企業の広告コンテンツを第２のコンテンツとして配信し、端末装置１００の現在位置が大阪府の場合は、大阪府の企業の広告コンテンツを第２のコンテンツとして配信する。端末装置１００は広告配信サーバ２０から配信されたコンテンツを第１のコンテンツの所定の領域に表示する。
【０１６９】
また、上述の実施形態では、撮像部１５０の起動する場合に、端末装置１００は、ユーザの許可を求める処理を実行するものとしたが、必ずしもユーザの許可を求める処理を実行しなくてもよい。この場合、端末装置１００は、コンテンツＣ１が画面に表示されたと同時に表示領域Ａ３に撮像部１５０で撮像した撮像画像を表示してもよい。
【０１７０】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１７１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１７２】
また、上記してきた各実施形態は、処理内容を矛盾させない領域で適宜組み合わせることが可能である。
【０１７３】
また、本実施形態の広告配信サーバ２０、コンテンツ配信サーバ３０、或いは端末装置１００を制御する制御装置は、専用のコンピュータシステムによって実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールし、上述の処理を実行することによって制御装置を構成してもよい。制御装置は、端末装置１００の外部の装置（例えば、パーソナルコンピュータ）であってもよいし、内部の装置（例えば、制御部２３、制御部３３、或いは制御部１６０）であってもよい。また、上記プログラムをインターネット等のネットワーク上のサーバ装置が備えるディスク装置に格納しておき、コンピュータにダウンロード等できるようにしてもよい。また、上述の機能を、ＯＳ（Operating  System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【０１７４】
〔１０．ハードウェア構成〕
実施形態及び変形例に係る広告配信サーバ２０、コンテンツ配信サーバ３０、或いは端末装置１００は、例えば図１４に示すような構成のコンピュータ１０００によっても実現可能である。図１４は、広告配信サーバ２０、コンテンツ配信サーバ３０、或いは端末装置１００の機能を実現するコンピュータの一例を示すハードウェア構成図である。コンピュータ１０００は、ＣＰＵ（Central  Processing  Unit）１１００、ＲＡＭ１２００、ＲＯＭ（Read  Only  Memory）１３００、ＨＤＤ（Hard  Disk  Drive）１４００、通信インタフェース（Ｉ／Ｆ）１５００、入出力インタフェース（Ｉ／Ｆ）１６００、及びメディアインタフェース（Ｉ／Ｆ）１７００を有する。
【０１７５】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１７６】
ＨＤＤ１４００は、ＣＰＵ１１００によって実行されるプログラム、及び、かかるプログラムによって使用されるデータ等を格納する。通信インタフェース１５００は、ネットワークＮを介して他の機器からデータを受信してＣＰＵ１１００へ送り、ＣＰＵ１１００が生成したデータをネットワークＮを介して他の機器へ送信する。
【０１７７】
ＣＰＵ１１００は、入出力インタフェース１６００を介して、ディスプレイやプリンタ等の出力装置、及び、キーボードやマウス等の入力装置を制御する。ＣＰＵ１１００は、入出力インタフェース１６００を介して、入力装置からデータを取得する。また、ＣＰＵ１１００は、生成したデータを入出力インタフェース１６００を介して出力装置へ出力する。
【０１７８】
メディアインタフェース１７００は、記録媒体１８００に格納されたプログラムまたはデータを読み取り、ＲＡＭ１２００を介してＣＰＵ１１００に提供する。ＣＰＵ１１００は、かかるプログラムを、メディアインタフェース１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７９】
例えば、コンピュータ１０００が実施形態に係る広告配信サーバ２０、コンテンツ配信サーバ３０、或いは端末装置１００として機能する場合、コンピュータ１０００のＣＰＵ１１００は、ＲＡＭ１２００上にロードされたプログラムを実行することにより、制御部２３、制御部３３、或いは制御部１６０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１８０】
〔１１．効果〕
上述したように、本実施形態の情報表示プログラムを実行する端末装置１００は、撮像部１５０を有する端末装置１００の画面に第１のコンテンツを表示する。そして、端末装置１００は、第１のコンテンツ内の所定の領域（例えば、広告領域等、第１のコンテンツ内の一部領域）に、撮像部１５０で撮影した第１の画像を、第１の画像上に第２のコンテンツが重畳した状態で表示する。これにより、第２のコンテンツが重畳した第１の画像にユーザの好奇心が刺激されるので、端末装置１００は、第２のコンテンツに係る情報の訴求効果を向上させることができる。
【０１８１】
第１の画像は、撮像部１５０が現在撮影しているリアルタイムの動画像である。端末装置１００は、動画像を、動画像上に第２のコンテンツが重畳した状態で表示する。これにより、第２のコンテンツが重畳した動画像にユーザの好奇心が刺激されるので、端末装置１００は、第２のコンテンツに係る情報の訴求効果を向上させることができる。
【０１８２】
端末装置１００は、ユーザの操作に応じて、撮像部１５０を起動するための処理を開始し、撮像部１５０が起動した後、撮像部１５０で撮影した第１の画像を第２のコンテンツが重畳した状態で表示する。これにより、第１にコンテンツがカメラを勝手に使用したという感覚をユーザに与えることを防ぐことができる。結果として、ユーザに不快感を与えないので、端末装置１００は、第１のコンテンツに係る情報の訴求効果を向上させることができる。
【０１８３】
端末装置１００は、所定のタイミングで、撮像部１５０の起動の許可をユーザに求めるための出力を実行し、撮像部１５０の起動を許可する旨のユーザの操作があった場合に撮像部１５０を起動する。これにより、ユーザに不快感を与えないので、端末装置１００は、第１のコンテンツに係る情報の訴求効果を向上させることができる。
【０１８４】
端末装置１００は、第１のコンテンツのスクロールにより所定の領域が画面上の所定の表示領域に位置したタイミングで、撮像部１５０の起動の許可をユーザに求めるための出力を実行し、撮像部１５０の起動を許可する旨のユーザの操作があった場合に撮像部１５０を起動する。ユーザに不快感を与えないので、端末装置１００は、第１のコンテンツに係る情報の訴求効果を向上させることができる。また、第２のコンテンツが表示されている所定の領域にユーザの関心を集めることができる。結果として、端末装置１００は、第２のコンテンツに係る情報の訴求効果を向上させることもできる。
【０１８５】
端末装置１００は、他のコンテンツからの遷移により第１のコンテンツが画面に表示されたタイミングで、撮像部１５０の起動の許可をユーザに求めるための出力を実行し、撮像部１５０の起動を許可する旨のユーザの操作があった場合に撮像部１５０を起動する。ユーザに不快感を与えないので、端末装置１００は、第１のコンテンツに係る情報の訴求効果を向上させることができる。
【０１８６】
端末装置１００は、所定の領域に表示された第２のコンテンツに対してユーザが所定の操作を行った場合に、撮像部１５０の起動の許可をユーザに求めるための出力を実行し、撮像部１５０の起動を許可する旨のユーザの操作があった場合に撮像部１５０を起動する。ユーザに不快感を与えないので、端末装置１００は、第１のコンテンツに係る情報の訴求効果を向上させることができる。
【０１８７】
端末装置１００は、第１のコンテンツに配置された第１の操作手段へのユーザの操作に応じて、所定の領域に表示されている第１の画像であって第２のコンテンツが重畳した状態の第１の画像を記憶手段に保存する。これにより、ユーザの好奇心が刺激されるので、端末装置１００は、第２のコンテンツに係る情報の訴求効果を向上させることができる。
【０１８８】
端末装置１００は、第１の操作手段へのユーザの操作に応じて、所定の領域に表示されている第１の画像であって第２のコンテンツが重畳した状態の第１の画像を静止画として保存する。これにより、ユーザの好奇心が刺激されるので、端末装置１００は、第２のコンテンツに係る情報の訴求効果を向上させることができる。
【０１８９】
第１の画像は、撮像部１５０が現在撮影しているリアルタイムの動画像である。端末装置１００は、第１の操作手段へのユーザの操作に応じて、所定の領域に表示されている動画像であって第２のコンテンツが重畳した状態の動画像を動画として保存する。これにより、ユーザの好奇心が刺激されるので、端末装置１００は、第２のコンテンツに係る情報の訴求効果を向上させることができる。
【０１９０】
端末装置１００は、第１のコンテンツに配置された第２の操作手段へのユーザの操作に応じて、所定の領域に表示されている第１の画像であって第２のコンテンツが重畳した状態の第１の画像を、ネットワークを使った所定の情報サービスに投稿する。これにより、面白いものを見てもらいたいというユーザの承認欲求が刺激されるので、端末装置１００は、第２のコンテンツに係る情報の訴求効果を向上させることができる。また、所定の情報サービスを通じて第２のコンテンツが拡散されるので、第２のコンテンツの宣伝効果を高めることもできる。
【０１９１】
端末装置１００は、第２のコンテンツを特定するタグ情報を付与した第１の画像を投稿する。タグ情報は、例えば、第２のコンテンツの広告情報である。これにより、投稿された第１の画像を見た者は、第１の画像に付されたタグ情報に基づいて、第２のコンテンツの情報を取得できる。結果として、端末装置１００は、第２のコンテンツに係る情報の訴求効果を向上させることができる。
【０１９２】
端末装置１００は、第２のコンテンツとして第１のオブジェクトを含むコンテンツを表示する。これにより、ユーザの好奇心が刺激されるので、端末装置１００は、第２のコンテンツに係る情報の訴求効果を向上させることができる。
【０１９３】
端末装置１００は、第１の画像に映る第２のオブジェクトの大きさに基づいて所定の領域に表示する第１のオブジェクトの大きさを判別する。これにより、よい画像を撮ろうとするユーザの欲求が刺激されるので、端末装置１００は、第２のコンテンツに係る情報の訴求効果を向上させることができる。
【０１９４】
端末装置１００は、第２のコンテンツとしてコンテンツ内に所定の形状の透過領域を有する画像を表示する。これにより、面白い画像を撮ろうとするユーザの欲求が刺激されるので、端末装置１００は、第２のコンテンツに係る情報の訴求効果を向上させることができる。
【０１９５】
端末装置１００は、ネットワークを通じて得た撮影画像に基づき作成された第２の画像を第２のコンテンツとして表示する。れにより、面白い画像を撮ろうとするユーザの欲求が刺激されるので、端末装置１００は、第２のコンテンツに係る情報の訴求効果を向上させることができる。
【０１９６】
端末装置１００は、リアルタイムの映像に基づき作成された第２の画像を第２のコンテンツとして表示する。れにより、面白い画像を撮ろうとするユーザの欲求が刺激されるので、端末装置１００は、第２のコンテンツに係る情報の訴求効果を向上させることができる。
【０１９７】
撮像部１５０は少なくともインカメラ１５２を有する。そして、端末装置１００は、インカメラ１５２で撮影した第１の画像を、第１の画像上に第２のコンテンツが重畳した状態で表示する。これにより、面白い画像を撮ろうとするユーザの欲求が刺激されるので、端末装置１００は、第２のコンテンツに係る情報の訴求効果を向上させることができる。
【０１９８】
端末装置１００は、ユーザの操作に応じて、第１のコンテンツを拡大或いは縮小することなく、所定の領域内の第１の画像及び第２のコンテンツの一方を拡大或いは縮小する。これにより、よい画像を撮ろうとするユーザの欲求が刺激されるので、端末装置１００は、第２のコンテンツに係る情報の訴求効果を向上させることができる。
【０１９９】
端末装置１００は、第２のコンテンツとしてユーザの操作により回転する立体オブジェクトを含むコンテンツを表示する。これにより、よい画像を撮ろうとするユーザの欲求が刺激されるので、端末装置１００は、第２のコンテンツに係る情報の訴求効果を向上させることができる。
【０２００】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２０１】
また、上述してきた「部（section、module、unit）」は、「手段」や「回路」などに読み替えることができる。例えば、表示部は、表示手段や表示回路に読み替えることができる。同様に、表示制御部は、表示制御手段や表示制御回路に読み替えることができる。
【符号の説明】
【０２０２】
１…配信システム
１０…広告主端末
２０…広告配信サーバ
２１、３１、１１０…通信部
２２…記憶部
２３、３３、１６０…制御部
２４…広告データベース
２５…入稿受付部
２６…要求受付部
２７…広告選択部
２８…配信部
３０…コンテンツ配信サーバ
３２…コンテンツ記憶部
３４…受付部
３５…配信部
１００…端末装置
１２０…入力部
１３０…記憶部
１４０…出力部
１４１…ディスプレイ
１５０…撮像部
１５１…アウトカメラ
１５２…インカメラ
１６１…表示部
１６２…表示制御部
１６３…記録制御部
１６４…投稿制御部
Ａ１…コンテンツ表示領域
Ａ２…中央領域
Ａ３…表示領域
Ｃ１、Ｃ２１〜Ｃ２５…コンテンツ
Ｐ１１〜Ｐ１５…撮像画像
Ｂ１１…保存ボタン
Ｂ１２…投稿ボタン
【図１】
2019144664.tif 000003
【図２】
2019144664.tif 000004
【図３】
2019144664.tif 000005
【図４】
2019144664.tif 000006
【図５】
2019144664.tif 000007
【図６】
2019144664.tif 000008
【図７】
2019144664.tif 000009
【図８】
2019144664.tif 000010
【図９】
2019144664.tif 000011
【図１０】
2019144664.tif 000012
【図１１】
2019144664.tif 000013
【図１２】
2019144664.tif 000014
【図１３】
2019144664.tif 000015
【図１４】
2019144664.tif 000016
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
撮像部を有する端末装置の画面に第１のコンテンツを表示する表示手順と、
前記第１のコンテンツ内の所定の領域に、前記撮像部で撮影した第１の画像を、前記第１の画像上に広告コンテンツである第２のコンテンツが重畳した状態で表示する表示制御手順と、
をコンピュータに実行させるための情報表示プログラム。
【請求項２】
前記第１の画像は、前記撮像部が現在撮影しているリアルタイムの動画像であり、
前記表示制御手順は、前記動画像を、前記動画像上に前記第２のコンテンツが重畳した状態で表示する、
処理であることを特徴とする請求項１に記載の情報表示プログラム。
【請求項３】
前記表示制御手順は、ユーザの操作に応じて、前記撮像部を起動するための処理を開始し、前記撮像部が起動した後、前記撮像部で撮影した前記第１の画像を前記第２のコンテンツが重畳した状態で表示する、
処理であることを特徴とする請求項１又は２に記載の情報表示プログラム。
【請求項４】
前記表示制御手順は、所定のタイミングで、前記撮像部の起動の許可をユーザに求めるための出力を実行し、前記撮像部の起動を許可する旨のユーザの操作があった場合に前記撮像部を起動する、
処理であることを特徴とする請求項１〜３のいずれか１項に記載の情報表示プログラム。
【請求項５】
前記表示制御手順は、前記第１のコンテンツのスクロールにより前記所定の領域が前記画面上の所定の表示領域に位置したタイミングで、前記撮像部の起動の許可をユーザに求めるための出力を実行し、前記撮像部の起動を許可する旨のユーザの操作があった場合に前記撮像部を起動する、
処理であることを特徴とする請求項１〜４のいずれか１項に記載の情報表示プログラム。
【請求項６】
前記表示制御手順は、他のコンテンツからの遷移により前記第１のコンテンツが前記画面に表示されたタイミングで、前記撮像部の起動の許可をユーザに求めるための出力を実行し、前記撮像部の起動を許可する旨のユーザの操作があった場合に前記撮像部を起動する、
処理であることを特徴とする請求項１〜５のいずれか１項に記載の情報表示プログラム。
【請求項７】
前記表示制御手順は、前記所定の領域に表示された前記第２のコンテンツに対してユーザが所定の操作を行った場合に、前記撮像部の起動の許可をユーザに求めるための出力を実行し、前記撮像部の起動を許可する旨のユーザの操作があった場合に前記撮像部を起動する、
処理であることを特徴とする請求項１〜６のいずれか１項に記載の情報表示プログラム。
【請求項８】
前記第１のコンテンツに配置された第１の操作手段へのユーザの操作に応じて、前記所定の領域に表示されている前記第１の画像であって前記第２のコンテンツが重畳した状態の前記第１の画像を記憶手段に保存する記録制御手順、
をさらにコンピュータに実行させる請求項１〜７のいずれか１項に記載の情報表示プログラム。
【請求項９】
前記記録制御手順は、前記第１の操作手段への前記ユーザの操作に応じて、前記所定の領域に表示されている前記第１の画像であって前記第２のコンテンツが重畳した状態の前記第１の画像を静止画として保存する、
処理であることを特徴とする請求項８に記載の情報表示プログラム。
【請求項１０】
前記第１の画像は、前記撮像部が現在撮影しているリアルタイムの動画像であり、
前記記録制御手順は、前記第１の操作手段への前記ユーザの操作に応じて、前記所定の領域に表示されている前記動画像であって前記第２のコンテンツが重畳した状態の前記動画像を動画として保存する、
処理であることを特徴とする請求項８に記載の情報表示プログラム。
【請求項１１】
前記第１のコンテンツに配置された第２の操作手段へのユーザの操作に応じて、前記所定の領域に表示されている前記第１の画像であって前記第２のコンテンツが重畳した状態の前記第１の画像を、ネットワークを使った所定の情報サービスに投稿する投稿制御手順、
をさらにコンピュータに実行させる請求項１〜１０のいずれか１項に記載の情報表示プログラム。
【請求項１２】
前記投稿制御手順は、前記第２のコンテンツを特定するタグ情報を付与した前記第１の画像を投稿する、
処理であることを特徴とする請求項１１に記載の情報表示プログラム。
【請求項１３】
前記タグ情報は、前記第２のコンテンツの広告情報である、
ことを特徴とする請求項１２に記載の情報表示プログラム。
【請求項１４】
前記表示制御手順は、前記第２のコンテンツとして第１のオブジェクトを含むコンテンツを表示する、
処理であることを特徴とする請求項１〜１３のいずれか１項に記載の情報表示プログラム。
【請求項１５】
前記表示制御手順は、前記第１の画像に映る第２のオブジェクトの大きさに基づいて前記所定の領域に表示する前記第１のオブジェクトの大きさを判別する、
処理であることを特徴とする請求項１４に記載の情報表示プログラム。
【請求項１６】
前記表示制御手順は、前記第２のコンテンツとしてコンテンツ内に所定の形状の透過領域を有する第２の画像を表示する、
処理であることを特徴とする請求項１〜１３のいずれか１項に記載の情報表示プログラム。
【請求項１７】
前記表示制御手順は、ネットワークを通じて得た撮影画像に基づき作成された前記第２の画像を前記第２のコンテンツとして表示する、
処理であることを特徴とする請求項１６に記載の情報表示プログラム。
【請求項１８】
前記表示制御手順は、リアルタイムの映像に基づき作成された前記第２の画像を前記第２のコンテンツとして表示する、
処理であることを特徴とする請求項１６又は１７に記載の情報表示プログラム。
【請求項１９】
前記撮像部は少なくともインカメラを有し、
前記表示制御手順は、前記インカメラで撮影した前記第１の画像を、前記第１の画像上に前記第２のコンテンツが重畳した状態で表示する、
処理であることを特徴とする請求項１６〜１８のいずれか１項に記載の情報表示プログラム。
【請求項２０】
前記表示制御手順は、ユーザの操作に応じて、前記第１のコンテンツを拡大或いは縮小することなく、前記所定の領域内の前記第１の画像及び前記第２のコンテンツの一方を拡大或いは縮小する、
処理であることを特徴とする請求項１〜１９のいずれか１項に記載の情報表示プログラム。
【請求項２１】
前記表示制御手順は、前記第２のコンテンツとしてユーザの操作により回転する立体オブジェクトを含むコンテンツを表示する、
処理であることを特徴とする請求項１〜２０のいずれか１項に記載の情報表示プログラム。
【請求項２２】
情報表示装置が実行する情報表示方法であって、
撮像部を有する端末装置の画面に第１のコンテンツを表示する表示工程と、
前記第１のコンテンツ内の所定の領域に、前記撮像部で撮影した第１の画像を、前記第１の画像上に広告コンテンツである第２のコンテンツが重畳した状態で表示する表示制御工程と、
を含むことを特徴とする情報表示方法。
【請求項２３】
撮像部と、
画面に第１のコンテンツを表示する表示部と、
前記第１のコンテンツ内の所定の領域に、前記撮像部で撮影した第１の画像を、前記第１の画像上に広告コンテンツである第２のコンテンツが重畳した状態で表示する表示制御部と、
を備えることを特徴とする情報表示装置。
【請求項２４】
撮像部を有する端末装置に制御情報を配信する配信部を備え、
前記配信部は、前記端末装置に前記制御情報を配信することで、
前記端末装置の画面に第１のコンテンツを表示する表示処理と、
前記第１のコンテンツ内の所定の領域に、前記撮像部で撮影した第１の画像を、前記第１の画像上に広告コンテンツである第２のコンテンツが重畳した状態で表示する表示制御処理と、
を実行させるよう前記端末装置を制御する、
ことを特徴とする配信装置。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
撮像部を有する端末装置の画面にメインコンテンツを含む第１のコンテンツを表示する表示手順と、
前記第１のコンテンツ内の一部領域であって前記メインコンテンツとは異なる広告コンテンツを表示するための所定の領域に、前記撮像部で撮影した第１の画像を、前記第１の画像上に第２のコンテンツが重畳した状態で表示する表示制御手順と、
をコンピュータに実行させるための情報表示プログラム。
【請求項２】
前記第１の画像は、前記撮像部が現在撮影しているリアルタイムの動画像であり、
前記表示制御手順は、前記動画像を、前記動画像上に前記第２のコンテンツが重畳した状態で表示する、
処理であることを特徴とする請求項１に記載の情報表示プログラム。
【請求項３】
前記表示制御手順は、ユーザの操作に応じて、前記撮像部を起動するための処理を開始し、前記撮像部が起動した後、前記撮像部で撮影した前記第１の画像を前記第２のコンテンツが重畳した状態で表示する、
処理であることを特徴とする請求項１又は２に記載の情報表示プログラム。
【請求項４】
前記表示制御手順は、所定のタイミングで、前記撮像部の起動の許可をユーザに求めるための出力を実行し、前記撮像部の起動を許可する旨のユーザの操作があった場合に前記撮像部を起動する、
処理であることを特徴とする請求項１〜３のいずれか１項に記載の情報表示プログラム。
【請求項５】
前記表示制御手順は、前記第１のコンテンツのスクロールにより前記所定の領域が前記画面上の所定の表示領域に位置したタイミングで、前記撮像部の起動の許可をユーザに求めるための出力を実行し、前記撮像部の起動を許可する旨のユーザの操作があった場合に前記撮像部を起動する、
処理であることを特徴とする請求項１〜４のいずれか１項に記載の情報表示プログラム。
【請求項６】
前記表示制御手順は、他のコンテンツからの遷移により前記第１のコンテンツが前記画面に表示されたタイミングで、前記撮像部の起動の許可をユーザに求めるための出力を実行し、前記撮像部の起動を許可する旨のユーザの操作があった場合に前記撮像部を起動する、
処理であることを特徴とする請求項１〜５のいずれか１項に記載の情報表示プログラム。
【請求項７】
前記表示制御手順は、前記所定の領域に表示された前記第２のコンテンツに対してユーザが所定の操作を行った場合に、前記撮像部の起動の許可をユーザに求めるための出力を実行し、前記撮像部の起動を許可する旨のユーザの操作があった場合に前記撮像部を起動する、
処理であることを特徴とする請求項１〜６のいずれか１項に記載の情報表示プログラム。
【請求項８】
前記第１のコンテンツに配置された第１の操作手段へのユーザの操作に応じて、前記所定の領域に表示されている前記第１の画像であって前記第２のコンテンツが重畳した状態の前記第１の画像を記憶手段に保存する記録制御手順、
をさらにコンピュータに実行させる請求項１〜７のいずれか１項に記載の情報表示プログラム。
【請求項９】
前記記録制御手順は、前記第１の操作手段への前記ユーザの操作に応じて、前記所定の領域に表示されている前記第１の画像であって前記第２のコンテンツが重畳した状態の前記第１の画像を静止画として保存する、
処理であることを特徴とする請求項８に記載の情報表示プログラム。
【請求項１０】
前記第１の画像は、前記撮像部が現在撮影しているリアルタイムの動画像であり、
前記記録制御手順は、前記第１の操作手段への前記ユーザの操作に応じて、前記所定の領域に表示されている前記動画像であって前記第２のコンテンツが重畳した状態の前記動画像を動画として保存する、
処理であることを特徴とする請求項８に記載の情報表示プログラム。
【請求項１１】
前記第１のコンテンツに配置された第２の操作手段へのユーザの操作に応じて、前記所定の領域に表示されている前記第１の画像であって前記第２のコンテンツが重畳した状態の前記第１の画像を、ネットワークを使った所定の情報サービスに投稿する投稿制御手順、
をさらにコンピュータに実行させる請求項１〜１０のいずれか１項に記載の情報表示プログラム。
【請求項１２】
前記投稿制御手順は、前記第２のコンテンツを特定するタグ情報を付与した前記第１の画像を投稿する、
処理であることを特徴とする請求項１１に記載の情報表示プログラム。
【請求項１３】
前記タグ情報は、前記第２のコンテンツの広告情報である、
ことを特徴とする請求項１２に記載の情報表示プログラム。
【請求項１４】
前記表示制御手順は、前記第２のコンテンツとして第１のオブジェクトを含むコンテンツを表示する、
処理であることを特徴とする請求項１〜１３のいずれか１項に記載の情報表示プログラム。
【請求項１５】
前記表示制御手順は、前記第１の画像に映る第２のオブジェクトの大きさに基づいて前記所定の領域に表示する前記第１のオブジェクトの大きさを判別する、
処理であることを特徴とする請求項１４に記載の情報表示プログラム。
【請求項１６】
前記表示制御手順は、前記第２のコンテンツとしてコンテンツ内に所定の形状の透過領域を有する第２の画像を表示する、
処理であることを特徴とする請求項１〜１３のいずれか１項に記載の情報表示プログラム。
【請求項１７】
前記表示制御手順は、ネットワークを通じて得た撮影画像に基づき作成された前記第２の画像を前記第２のコンテンツとして表示する、
処理であることを特徴とする請求項１６に記載の情報表示プログラム。
【請求項１８】
前記表示制御手順は、リアルタイムの映像に基づき作成された前記第２の画像を前記第２のコンテンツとして表示する、
処理であることを特徴とする請求項１６又は１７に記載の情報表示プログラム。
【請求項１９】
前記撮像部は少なくともインカメラを有し、
前記表示制御手順は、前記インカメラで撮影した前記第１の画像を、前記第１の画像上に前記第２のコンテンツが重畳した状態で表示する、
処理であることを特徴とする請求項１６〜１８のいずれか１項に記載の情報表示プログラム。
【請求項２０】
前記表示制御手順は、ユーザの操作に応じて、前記第１のコンテンツを拡大或いは縮小することなく、前記所定の領域内の前記第１の画像及び前記第２のコンテンツの一方を拡大或いは縮小する、
処理であることを特徴とする請求項１〜１９のいずれか１項に記載の情報表示プログラム。
【請求項２１】
前記表示制御手順は、前記第２のコンテンツとしてユーザの操作により回転する立体オブジェクトを含むコンテンツを表示する、
処理であることを特徴とする請求項１〜２０のいずれか１項に記載の情報表示プログラム。
【請求項２２】
情報表示装置が実行する情報表示方法であって、
撮像部を有する端末装置の画面にメインコンテンツを含む第１のコンテンツを表示する表示工程と、
前記第１のコンテンツ内の一部領域であって前記メインコンテンツとは異なる広告コンテンツを表示するための所定の領域に、前記撮像部で撮影した第１の画像を、前記第１の画像上に第２のコンテンツが重畳した状態で表示する表示制御工程と、
を含むことを特徴とする情報表示方法。
【請求項２３】
撮像部と、
画面にメインコンテンツを含む第１のコンテンツを表示する表示部と、
前記第１のコンテンツ内の一部領域であって前記メインコンテンツとは異なる広告コンテンツを表示するための所定の領域に、前記撮像部で撮影した第１の画像を、前記第１の画像上に第２のコンテンツが重畳した状態で表示する表示制御部と、
を備えることを特徴とする情報表示装置。
【請求項２４】
撮像部を有する端末装置に制御情報を配信する配信部を備え、
前記配信部は、前記端末装置に前記制御情報を配信することで、
前記端末装置の画面にメインコンテンツを含む第１のコンテンツを表示する表示処理と、
前記第１のコンテンツ内の一部領域であって前記メインコンテンツとは異なる広告コンテンツを表示するための所定の領域に、前記撮像部で撮影した第１の画像を、前記第１の画像上に第２のコンテンツが重畳した状態で表示する表示制御処理と、
を実行させるよう前記端末装置を制御する、
ことを特徴とする配信装置。